(57)【特許請求の範囲】
【請求項１】
紙幣が装填されるとともに装填された紙幣を一枚ずつ繰り出す装填手段と、
該装填手段から繰り出された紙幣を搬送する搬送手段と、
該搬送手段で搬送中の紙幣を鑑別する鑑別手段と、
前記搬送手段で搬送されてきた紙幣を払出機構部で繰り出して取り出し可能に集積させる複数の集積手段と、
前記装填手段に装填される紙幣の分類の仕方を決める複数の分類処理モードの中から一つの分類処理モードを選択する操作がなされる操作手段と、
前記装填手段から繰り出された紙幣を、前記鑑別手段の鑑別結果に基づき、前記操作手段で選択された分類処理モードに応じた前記複数の集積手段のうちの一つに前記搬送手段で搬送させる制御手段と、
を有する紙幣整理機において、
前記集積手段には、該集積手段に前記搬送手段から繰り出された集積紙幣の重量で移動するガイド手段が設けられており、
前記ガイド手段は、前記集積手段における、前記払出機構部の紙幣を繰り出す方向の前方に閉状態で位置するシャッタで開閉される紙幣の取出口側に回転自在に支持されていることを特徴とする紙幣整理機。
【請求項２】
前記ガイド手段は、移動可能に設けられたガイド板と、該ガイド板を付勢するバネ材とを具備することを特徴とする請求項１記載の紙幣整理機。
【請求項３】
紙幣が装填されるとともに装填された紙幣を一枚ずつ繰り出す装填手段と、
該装填手段から繰り出された紙幣を搬送する搬送手段と、
該搬送手段で搬送中の紙幣を鑑別する鑑別手段と、
前記搬送手段で搬送されてきた紙幣を払出機構部で繰り出して取り出し可能に集積させる複数の集積手段と、
前記装填手段に装填される紙幣の分類の仕方を決める複数の分類処理モードの中から一つの分類処理モードを選択する操作がなされる操作手段と、
前記装填手段から繰り出された紙幣を、前記鑑別手段の鑑別結果に基づき、前記操作手段で選択された分類処理モードに応じた前記複数の集積手段のうちの一つに前記搬送手段で搬送させる制御手段と、
を有する紙幣整理機において、
前記集積手段には、該集積手段に前記搬送手段から繰り出された集積紙幣の重量で移動するガイド板が設けられており、
前記ガイド板は、前記集積手段の底部形成部に固定されて前記搬送手段から繰り出された紙幣の重量で変形する、弾性変形可能な樹脂材料からなっており、しかも前記集積手段における、前記払出機構部の紙幣を繰り出す方向の前方に閉状態で位置するシャッタで開閉される紙幣の取出口側に固定されていることを特徴とする紙幣整理機。
【発明の詳細な説明】
【０００１】
【発明の属する技術分野】
本発明は、紙幣を鑑別し該鑑別の結果に基づいて分類することが可能な紙幣整理機に関する。
【０００２】
【従来の技術】
紙幣を鑑別し該鑑別の結果に基づいて分類することが可能な紙幣整理機があり、その一例が特開平７−２１４３７号公報に示されている。
この紙幣整理機は、装填部と、搬送部と、鑑別部と、複数の集積部と、束作成部とを有している。
装填部には、多数の紙幣が集積状態で装填される。装填部は、多数の紙幣を一枚ずつに分離して紙幣整理機の中に送り出す。
鑑別部は、装填部から紙幣整理機の中に送り出された紙幣の金種を鑑別する。
搬送部は、装填部から紙幣整理機の中に送り出された紙幣を、鑑別部の鑑別結果に基づいて、複数の集積部および束作成部のうちのいずれか一つに運ぶ。
各集積部は、搬送部で装填部から搬送されてきた紙幣を集積させる。各集積部は機外に臨む位置にある。このため、各集積部に集積させられた紙幣は、オペレータによって取り出しが可能となる。
束作成部は、搬送部で装填部から搬送されてきた紙幣を所定枚数集積させる。集積された紙幣の回りに結束テープを巻いて束紙幣とする。
【０００３】
【発明が解決しようとする課題】
従来の紙幣整理機では、装填部に装填した紙幣を金種別に分類する処理が主に行われる処理となっていた。このため、集積部における紙幣の集積容量は、あまり大きくなかった。他方、近年の紙幣整理機では、一金種の紙幣を表裏別に分類する等、多様な分類処理が可能となってきている。よって、分類の仕方によっては、特定の集積部に多くの紙幣が集中して集積されることがあった。このような場合、紙幣の分類処理が開始されてからすぐに、集積部が紙幣で満杯になってしまう。その結果、紙幣の分類処理が頻繁に中断してしまう。このため、従来の紙幣整理機では、処理効率が悪かった。
このような問題を解決するためには、集積部における紙幣の集積容量を増大化させることが考えられる。しかし、集積部における紙幣の集積容量を単純に増大化させると、集積部内の集積空間部が大きくなる。このため、特に初期に集積部に搬送部から繰り出された紙幣は、集積部において動ける範囲が大きくなってしまう。その結果、初期に集積部に搬送部から繰り出された紙幣は、その姿勢が安定しないことになる。このため、初期に集積部に搬送部から繰り出された紙幣は、集積部内で、後から集積部に搬送部から繰り出される紙幣と衝突して、該紙幣の集積状態を乱すことがあった。
したがって、本発明は、集積手段の集積容量を増大化させた場合であっても、集積手段に搬送手段から繰り出される紙幣を確実に集積させることが可能な紙幣整理機の提供を目的とする。
【０００４】
【課題を解決するための手段】
上記目的を達成するため、本発明の紙幣整理機は、紙幣が装填されるとともに装填された紙幣を一枚ずつ繰り出す装填手段と、該装填手段から繰り出された紙幣を搬送する搬送手段と、該搬送手段で搬送中の紙幣を鑑別する鑑別手段と、前記搬送手段で搬送されてきた紙幣を払出機構部で繰り出して取り出し可能に集積させる複数の集積手段と、前記装填手段に装填される紙幣の分類の仕方を決める複数の分類処理モードの中から一つの分類処理モードを選択する操作がなされる操作手段と、前記装填手段から繰り出された紙幣を、前記鑑別手段の鑑別結果に基づき、前記操作手段で選択された分類処理モードに応じた前記複数の集積手段のうちの一つに前記搬送手段で搬送させる制御手段と、を有するものであって、前記集積手段には、該集積手段に前記搬送手段から繰り出された紙幣の重量で移動するガイド手段が設けられており、前記ガイド手段は、前記集積手段における、前記払出機構部の紙幣を繰り出す方向の前方に閉状態で位置するシャッタで開閉される紙幣の取出口側に回転自在に支持されていることを特徴としている。
【０００５】
これにより、装填手段に装填された紙幣が該装填手段から繰り出されると、これを搬送手段が搬送する。この搬送中に紙幣は鑑別手段で鑑別される。制御手段は、紙幣を、鑑別手段の鑑別結果に基づき、操作手段で選択された分類処理モードに応じた複数の集積手段のうちの一つに搬送手段で搬送させる。
このようにして、集積手段に紙幣が集積されることになるが、集積手段には、該集積手段に搬送手段から繰り出された紙幣の重量で移動するガイド手段が設けられている。このため、該ガイド手段が、紙幣が少ない状態では集積手段の内部の集積空間部の容積を減らし、紙幣が増えてくると集積手段の集積空間部の容積を増やすように移動すれば、初期に集積手段に搬送手段から繰り出された紙幣が集積手段において動ける範囲が大きくなってしまうことを防止することができる。その結果、初期に集積手段に搬送手段から繰り出された紙幣も姿勢が安定することになる。このため、初期に集積手段に搬送手段から繰り出された紙幣は、集積手段内で、後から集積手段に搬送手段から繰り出される紙幣と衝突することがなくなり、該紙幣の集積状態を乱すことがなくなる。
しかも、ガイド手段が紙幣の重量で移動するため、集積紙幣の厚みでガイド手段を移動させる必要がなくなる。したがって、搬送手段から自由な状態で紙幣を集積手段に繰り出させることができる。
さらに、前記ガイド手段を、前記集積手段に回転自在に支持される構成とする。
これにより、ガイド手段が、集積手段に対し、紙幣が少ない状態では集積手段の内部の集積空間部の容積を減らし、紙幣が増えてくると集積手段の集積空間部の容積を増やすように回転すれば、初期に集積手段に搬送手段から繰り出された紙幣が集積手段において動ける範囲が大きくなってしまうことを防止することがさらに簡素な構成で実現できる。
加えて、前記ガイド手段を、前記集積手段の紙幣の取出口側に回転自在に支持する構成とする。
このように、ガイド手段を、集積手段の紙幣の取出口側に回転自在に支持することで、集積手段の取出口の開口面積がガイド手段で狭められてしまうことを防止できる。したがって、オペレータが集積手段から取出口を介して紙幣を取り出す際に、容易に紙幣を取り出すことができる。
【０００６】
また、前記ガイド手段を、移動可能に設けられたガイド板と、該ガイド板を付勢するバネ材とを具備する構成とする。
これにより、ガイド板がバネ材の付勢力で、紙幣が少ない状態では集積手段の内部の集積空間部の容積を減らし、紙幣が増えてくると集積手段の集積空間部の容積を増やすように移動すれば、初期に集積手段に搬送手段から繰り出された紙幣が集積手段において動ける範囲が大きくなってしまうことを防止することが簡素な構成で実現できる。このように、ガイド手段を簡素な構成とすることができる。
【０００９】
さらに、紙幣が装填されるとともに装填された紙幣を一枚ずつ繰り出す装填手段と、該装填手段から繰り出された紙幣を搬送する搬送手段と、該搬送手段で搬送中の紙幣を鑑別する鑑別手段と、前記搬送手段で搬送されてきた紙幣を払出機構部で繰り出して取り出し可能に集積させる複数の集積手段と、前記装填手段に装填される紙幣の分類の仕方を決める複数の分類処理モードの中から一つの分類処理モードを選択する操作がなされる操作手段と、前記装填手段から繰り出された紙幣を、前記鑑別手段の鑑別結果に基づき、前記操作手段で選択された分類処理モードに応じた前記複数の集積手段のうちの一つに前記搬送手段で搬送させる制御手段と、を有する紙幣整理機において、前記集積手段には、該集積手段に前記搬送手段から繰り出された集積紙幣の重量で移動するガイド板が設けられており、前記ガイド板を、前記集積手段の底部形成部に固定されて前記集積手段に前記搬送手段から繰り出された紙幣の重量で変形する、弾性変形可能な樹脂材料からなり、しかも前記集積手段における、前記払出機構部の紙幣を繰り出す方向の前方に閉状態で位置するシャッタで開閉される紙幣の取出口側に固定される構成とする。
これにより、弾性変形可能な樹脂材料からなるガイド板が、紙幣が少ない状態では集積手段の内部の集積空間部の容積を減らし、紙幣が増えてくると集積手段の集積空間部の容積を増やすように変形すれば、初期に集積手段に搬送手段から繰り出された紙幣が集積手段において動ける範囲が大きくなってしまうことを防止することがさらに簡素な構成で実現できる。
【００１０】
【発明の実施の形態】
本発明の紙幣整理機の一の実施の形態を図１〜図１８を参照して以下に説明する。
この紙幣整理機は、紙幣を計数しつつ目的に応じて分類するものであって、装填部（装填手段）１１と、搬送部（搬送手段）１２と、鑑別部（鑑別手段）１３と、払出部１４と、操作部（操作手段）１５と、表示部１６と、これらを制御する制御部（制御手段）１７とを有している。
【００１１】
［機体］
紙幣整理機の機体１０は、前面部２０と、後面部２１と、左右一対の側面部２２，２２と、底面部２４と、上面部２５とを有している。
前面部２０は、ほぼ鉛直に延在している。
一方の側面部２２は前面部２０の左端から後側に延びている。また、他方の側面部２２は前面部２０の右端から後側に延びている。両側面部２２，２２はともに鉛直に延在するとともに互いに平行をなしている。
後面部２１は、両側面部２２，２２の後端部同士の間に配置されている。また、後面部２１は前面部２０とほぼ平行をなしている。
【００１２】
底面部２４は、前面部２０、両側面部２２，２２および後面部２１の下端部に設けられている。この底面部２４は水平に延在している。
上面部２５は、前面部２０、両側面部２２，２２および後面部２１の上端部に設けられている。この上面部２５は傾斜している。上面部２５は、その後側がその前側に比して上側に位置している。
前面部２０の下部には、メインスイッチ２７が設けられている。このメインスイッチ２７は、オペレータにより操作されるもので、紙幣整理機の主電源をＯＮ／ＯＦＦするためのものである。
【００１３】
［装填部］
装填部１１は、機体１０の前部に設けられている。装填部１１には、多数の紙幣が集積された状態の集積紙幣Ｓが装填される。集積紙幣Ｓは集積方向をほぼ上下に向けた状態で装填部１１に装填される。装填部１１は、装填された集積紙幣Ｓをその最下のものから分離して一枚ずつ機体１０の内部に向けて繰り出すものである。
この装填部１１は、装填底面部２９と、一対の装填側面部３０，３０と、装填後面部３２とを有している。
装填底面部２９は、前面部２０から後方に延びている。装填底面部２９は、後側が前側よりも下側に位置するように傾斜している。
【００１４】
一方の装填側面部３０は装填底面部２９の左側に設けられている。他方の装填側面部３０は装填底面部２９の右側に設けられている。両装填側面部３０，３０は、機体１０の側面部２２，２２と平行をなしている。
装填後面部３２は、両装填側面部３０，３０の後端部の間に設けられている。この装填後面部３２は、機体１０の前面部２０と平行をなしている。
【００１５】
これら装填底面部２９と、両装填側面部３０，３０と、装填後面部３２とによって、機体１０の前面部２０から若干後側に凹む形状の装填空間部３３が形成されている。この装填空間部３３は、機体１０の上面部２５側には貫通する形状をなしている。
装填空間部３３には、集積紙幣Ｓが長手方向を左右方向に沿わせた状態で装填される。このとき、集積紙幣Ｓは、長手方向における両側が両装填側面部３０，３０で案内される。また、このとき、集積紙幣Ｓは、後側が装填後面部３２で案内される。さらに、このとき、集積紙幣Ｓは、装填底面部２９とほぼ平行をなしている。すなわち、後側が前側よりも下側に位置するように若干傾斜している。ここで、装填底面部２９と装填後面部３２との境界部分に取込口３４が設けられている。この取込口３４は、機体１０の内部に集積紙幣Ｓを取り込むための口である。
【００１６】
装填部１１は、その下部に紙幣繰出部３６を有している。
この紙幣繰出部３６は、蹴出ローラ３７と、繰出ローラ３８と、分離ローラ３９と、これらを駆動する搬送駆動モータ４０とを有している。
【００１７】
蹴出ローラ３７は、装填底面部２９の前後方向における中間位置に配置されている。蹴出ローラ３７は、その一部を装填底面部２９から上側に突出させている。そして、蹴出ローラ３７は、搬送駆動モータ４０で回転駆動される。蹴出ローラ３７は、装填空間部３３に装填された集積紙幣Ｓのうちの最下の紙幣に当接し、該紙幣を取込口３４に向けて蹴り出す。
【００１８】
繰出ローラ３８は、取込口３４の下側に設けられている。分離ローラ３９は繰出ローラ３８の上側に設けられている。繰出ローラ３８は、搬送駆動モータ４０で回転駆動される。繰出ローラ３８は、蹴出ローラ３７で蹴り出された紙幣に接触してこれを機体１０の内部に向けて繰り出させる。
分離ローラ３９は、蹴出ローラ３７で蹴り出された紙幣と一緒に移動する該紙幣の上側にある紙幣に当接する。そして、この紙幣が取込口３４に入り込もうとするのを防止する。つまり、蹴出ローラ３７で蹴り出された紙幣以外の紙幣を装填空間部３３に止まらせる。
これにより、紙幣繰出部３６は、装填空間部３３に装填された集積紙幣Ｓを一枚ずつ分離して機体１０の内部に向けて繰り出す。
【００１９】
装填部１１は、その上部にビルプレス部４２を有している。
ビルプレス部４２は押圧面４３を有している。ビルプレス部４２は、起立した状態では、機体１０の装填後面部３２より後側に入り込む。
ビルプレス部４２は、その下部を中心に回転することにより前側に倒れることができる。このように倒れた状態では、押圧面４３を下側に向けた状態とし、また押圧面４３を装填底面部２９の真上に位置させる。
【００２０】
これにより、ビルプレス部４２は、装填空間部３３に装填された集積紙幣Ｓが比較的少ないときに、前側に倒れて集積紙幣Ｓを上側から下方に向け押す。このとき、ビルプレス部４２が集積紙幣Ｓを押す力は、ビルプレス部４２の自重により生じる。
このようにビルプレス部４２は、集積紙幣Ｓを上側から押すことにより、集積紙幣Ｓのうちの最下の紙幣と蹴出ローラ３７との間の摩擦力を、押さない場合よりも大きくする。その結果、装填空間部３３に装填される集積紙幣Ｓの量が少なくても、集積紙幣Ｓのうちの最下の紙幣が蹴出ローラ３７で良好に蹴り出されることになる。
【００２１】
他方、ビルプレス部４２は、起立した状態では、押圧面４３を装填後面部３２とほぼ同一面に配置する。このとき、ビルプレス部４２は、装填空間部３３から退避する。これにより、装填空間部３３に装填される集積紙幣Ｓが比較的多い場合に、ビルプレス部４２を装填空間部３３から退避させることができる。その結果、ビルプレス部４２が、装填部１１に装填される集積紙幣Ｓの邪魔にならないようにできる。このようにビルプレス部４２が起立状態とされるのは、集積紙幣Ｓとして、最下の紙幣と蹴出ローラ３７との間の摩擦力を十分な値にできる量の集積紙幣Ｓが装填空間部３３に装填される場合である。
【００２２】
このビルプレス部４２は、オペレータの手作業で起立状態と倒れた状態とが切り替えられるようになっている。
また、装填部１１には、紙幣検知センサ４４が設けられている。この紙幣検知センサ４４は、装填部１１における紙幣の有無を検出する。紙幣検知センサ４４は、この検出結果を制御部１７に出力する。
【００２３】
［搬送部］
搬送部１２は、装填部１１から繰り出された紙幣を搬送するものである。搬送部１２は、紙幣を、その長手方向を左右方向に沿わせた状態で搬送する。搬送部１２は、その作動が制御部１７で制御される。
【００２４】
搬送部１２は、第１搬送路４５と、第２搬送路４６と、第３搬送路４７と、第４搬送路４８と、第５搬送路４９と、第６搬送路５０と、第７搬送路５１と、第８搬送路５２とを有している。これら搬送路４５〜５２は、複数のローラと、複数の搬送ベルトと、図示せぬ複数のガイド部材とを有している。なお、これら搬送路４５〜５２は、装填部１１の紙幣繰出部３６と共通の搬送駆動モータ４０で駆動される。
【００２５】
第１搬送路４５は、装填部１１から繰り出された紙幣を機体１０の下部において前から後に搬送する。
第２搬送路４６は、第１搬送路４５の末端に接続されている。第２搬送路４６は、第１搬送路４５で搬送される紙幣を該第１搬送路４５から受け取る。そして、この紙幣を機体１０の後部において下側から上側に搬送する。
【００２６】
第３搬送路４７は、第２搬送路４６の末端の第１分岐点５４に接続されている。第３搬送路４７は、第２搬送路４６で搬送される紙幣を該第２搬送路４６から受け取る。そして、この紙幣を機体１０のさらに後部に搬送した後、上方に向け搬送する。
第４搬送路４８は、第１分岐点５４に接続されている。第４搬送路４８は、第２搬送路４６で搬送される紙幣を該第２搬送路４６から受け取る。そして、この紙幣を前方に向け搬送する。
【００２７】
第５搬送路４９は、第４搬送路４８の末端の第２分岐点５５に接続されている。第５搬送路４９は、第４搬送路４８で搬送される紙幣を該第４搬送路４８から受け取る。そして、この紙幣を上方に向け搬送する。第２分岐点５５は第１分岐点５４より前に位置する。
第６搬送路５０は、第２分岐点５５に接続されている。第６搬送路５０は、第４搬送路４８で搬送される紙幣を該第４搬送路４８から受け取る。そして、この紙幣を前方に向け搬送する。
【００２８】
第７搬送路５１は、第６搬送路５０の末端の第３分岐点５６に接続されている。第７搬送路５１は、第６搬送路５０で搬送される紙幣を該第６搬送路５０から受け取る。そして、この紙幣を上方に向け搬送する。第３分岐点５６は第２分岐点５５より前に位置する。
第８搬送路５２は、第３分岐点５６に接続されている。第８搬送路５２は、第６搬送路５０で搬送される紙幣を該第６搬送路５０から受け取る。そして、この紙幣を前方に向け搬送する。
【００２９】
搬送部１２は、第１振分部材５８と、第２振分部材５９と、第３振分部材６０と、第１ソレノイド６１と、第２ソレノイド６２と、第３ソレノイド６３とを有している。
第１振分部材５８は、第１分岐点５４に設けられている。第１振分部材５８は、第１ソレノイド６１で駆動されることにより、第２搬送路４６を、第３搬送路４７および第４搬送路４８のいずれか一方に選択的に接続させる。すなわち、第１振分部材５８は、第２搬送路４６で搬送されてきた紙幣の行き先を、第３搬送路４７および第４搬送路４８のいずれか一方に選択的に切り替える。
【００３０】
第２振分部材５９は、第２分岐点５５に設けられている。第２振分部材５９は、第２ソレノイド６２で駆動されることにより、第４搬送路４８を、第５搬送路４９および第６搬送路５０のいずれか一方に選択的に接続させる。すなわち、第２振分部材５９は、第４搬送路４８で搬送されてきた紙幣の行き先を、第５搬送路４９および第６搬送路５０のいずれか一方に選択的に切り替える。
【００３１】
第３振分部材６０は、第３分岐点５６に設けられている。第３振分部材６０は、第３ソレノイド６３で駆動されることにより、第６搬送路５０を、第７搬送路５１および第８搬送路５２のいずれか一方に選択的に接続させる。すなわち、第３振分部材６０は、第６搬送路５０で搬送されてきた紙幣の行き先を、第７搬送路５１および第８搬送路５２のいずれか一方に選択的に切り替える。
【００３２】
なお、搬送路４５〜５２の途中には、複数の紙幣検知センサ６４，６４，…が設けられている。これら紙幣検知センサ６４，６４，…は、それぞれ搬送路４５〜５２中の紙幣を検知するものである。これら紙幣検知センサ６４，６４，…は、搬送路４５〜５２中の紙幣の状態が正常であるか異常であるかを判断するために用いられる。これら紙幣検知センサ６４，６４，…は、さらに、ソレノイド６１〜６３による振分部材５８〜６０の駆動のタイミングを制御するためにも用いられる。
【００３３】
［鑑別部］
鑑別部１３は、搬送部１２の第１搬送路４５で搬送中の紙幣を鑑別し、鑑別結果を制御部１７に出力する。鑑別部１３は、第１鑑別部６６と第２鑑別部６７とを有している。
【００３４】
第１鑑別部６６は、搬送部１２で搬送中の紙幣の画像データと、紙幣のインクに含まれる物質の磁気データとを検出する。そして、第１鑑別部６６は、検出結果を制御部１７に出力する。制御部１７では、検出された画像データを基準の画像データと比較し、かつ検出された磁気データを基準の磁気データと比較する。制御部１７は、この比較結果に基づいて、紙幣の真偽と、金種と、表裏と、天地と、正損とを判定する。
第２鑑別部６７は、搬送部１２で搬送中の紙幣に紫外線を照射する。また第２鑑別部６７は、紙幣からの反射光（可視光）の有無を検出する。第２鑑別部６７は、検出結果を制御部１７に出力する。真の紙幣のインクには紫外線を可視光に変える物質が含有されている。このため、制御部１７では、紙幣からの可視反射光の有無から前記物質の有無を判断し、紙幣の真偽を判定する。
【００３５】
制御部１７は、第１鑑別部６６および第２鑑別部６７の判定結果を合わせて、紙幣の真偽、金種、表裏、天地および正損を判定する。
真偽判定とは、紙幣が真券であるか偽券であるかの判定である。
金種判定は紙幣の金種が何であるかの判定である。
表裏判定とは、紙幣が表券であるか裏券であるかの判定である。ここで、表券とは、第１鑑別部６６を通過した際に、その上側が表となる紙幣のことである。裏券とは、第１鑑別部６６を通過した際に、その上側が裏となる紙幣のことである。
【００３６】
天地判定とは、紙幣が上向券であるか下向券であるかの判定である。ここで、上向券とは、第１鑑別部６６を通過した際に、搬送方向下流側が上となる紙幣のことである。下向券とは、第１鑑別部６６を通過した際に、搬送方向下流側が下となる紙幣のことである。
正損判定とは、紙幣が正券であるか損券であるかの判定である。ここで、正券とは、きれいで再使用に適した紙幣のことである。損券とは、汚損および損傷の少なくともいずれか一方があって再使用に不適な紙幣のことである。
なお、制御部１７は、第１鑑別部６６で紙幣を真券と判定しても、第２鑑別部６７で検出されるべき反射光が検出されない場合、偽券と判定する。
【００３７】
［払出部］
払出部１４は、制御部１７で制御されるもので、複数の集積部すなわち第１集積部（集積手段）６９、第２集積部（集積手段）７０および第３集積部（集積手段）７１と、リジェクト部７２とを有している。第１集積部６９、第２集積部７０、第３集積部７１およびリジェクト部７２は、搬送部１２で搬送されてきた紙幣を、オペレータが取り出せるように集積させるものである。
【００３８】
第１集積部６９は、機体１０の上部かつ前部に設けられている。第１集積部６９は、第７搬送路５１の搬送方向における最下流位置に接続されている。
第２集積部７０は、機体１０の上部の第１集積部６９より後側に設けられている。第２集積部７０は、第５搬送路４９の搬送方向における最下流位置に接続されている。
第３集積部７１は、機体１０の上部の第２集積部７０より後側に設けられている。第３集積部７１は、第３搬送路４７の搬送方向における最下流位置に接続されている。
リジェクト部７２は、機体１０の上部の第１集積部６９より前側かつ装填空間部３３より後側に設けられている。リジェクト部７２は、第８搬送路５２の搬送方向における最下流位置に接続されている。
【００３９】
第１集積部６９、第２集積部７０および第３集積部７１は、上記したように、それぞれの配置位置および接続される搬送路が異なっている。しかし、これらの点以外は、第１集積部６９、第２集積部７０および第３集積部７１は全く同じ構造である。
ここでは、第１集積部６９を例にとって図３〜図９を参照してさらに詳細に説明する。
図４に示すように、第１集積部６９は、底部形成部７４と、払出機構部７５と、上部カバー部７６と、シャッタ機構部（姿勢変更手段）７７とを有している。
【００４０】
底部形成部７４は、主部材７９と支持部材８０とを有している。
主部材７９は、後板部８１と、前板部８２と、上板部８３と、左右一対の支持板部８４（一方のみ図示）と、図６に示す左右一対の側板部８６，８６とを有している。
後板部８１は、後部が上側に前部が下側に位置するように傾斜させられている。後板部８１の前部には、前後方向に延在するガイド溝８９が複数形成されている。また、後板部８１の前部には、左右方向に延在する下部係合長穴９０が形成されている。
【００４１】
主部材７９の前板部８２は、後板部８１の前端部から前方かつ上方に向け形成されている。前板部８２には、図７に示す前後方向に延在する長穴９５が左右両側に形成されている。前板部８２の上端部には、左右方向に延在する上部係合長穴９６が左右両側に形成されている。前板部８２の上部には、図４および図７に示す挿通溝部９７が左右方向における中間部に形成されている。
支持部材８０は、接合板部９２と、係止板部９３とを有している。
この支持部材８０は、接合板部９２の上部において主部材７９の前板部８２の前側に接合されている。この状態で、接合板部９２の下部は主部材７９の後板部８１より下側に突出している。また係止板部９３は、後板部８１の下部係合長穴９０の下側に配置されている。
【００４２】
主部材７９の上板部８３は、前板部８２の上端部から上方かつ後方に向けて延びるように形成されている。
支持板部８４は、前板部８２の長穴９５の下側に配置されている。支持板部８４には、図７に示す前後方向に延在する長穴９８が形成されている。
図６に示す一方の側板部８６は、前板部８２および後板部８１の間の一側に設けられている。他方の側板部８６は、前板部８２および後板部８１の間の逆側に設けられている。両側板部８６，８６は、機体１０の側面部２２，２２と平行に配置されている。
【００４３】
図４に示す払出機構部７５は、払出ベルト１００と、送りローラ１０１と、羽根車１０２とを有している。この払出機構部７５は、装填部１１および搬送部１２と共通の搬送駆動モータ４０で駆動される。
払出ベルト１００は、前側が上側となり後側が下側となるように傾斜して配置されている。
送りローラ１０１は、払出ベルト１００の後部の下側に配置されている。
羽根車１０２は、払出ベルト１００の前部の下側に配置されている。
【００４４】
これにより、払出機構部７５は、第７搬送路５１で搬送されてきた紙幣を払出ベルト１００と送りローラ１０１との間に受け入れる。そして、受け入れた紙幣を払出ベルト１００と送りローラ１０１とで羽根車１０２に向けてさらに送る。そして、紙幣を払出ベルト１００と羽根車１０２との間から底部形成部７４上に繰り出させる。
このとき、払出機構部７５は、紙幣を底部形成部７４の前板部８２とほぼ平行をなす状態で繰り出させる。最終的に、払出機構部７５から繰り出された紙幣は、シャッタ機構部７７で繰出方向（矢印Ｘ方向）の移動が規制される（後述する）。このため、払出機構部７５は、このように繰出方向の移動が規制された状態の紙幣を、前板部８２とほぼ平行を維持させた状態まま、羽根車１０２によって、前板部８２の方向（矢印Ｙ方向）に叩き落す。これにより、払出機構部７５で繰り出された紙幣と、次に繰り出される紙幣との衝突を防止する。したがって、多数枚の紙幣を確実に集積させることができる。
【００４５】
上部カバー部７６は、第１ガイド部材１０４と第２ガイド部材１０５とを有している。
第１ガイド部材１０４は、払出機構部７５の上側に設けられている。第１ガイド部材１０４は、底部形成部７４の前板部８２とほぼ平行をなしている。
第２ガイド部材１０５は、第１ガイド部材１０４の上端部に連結されている。第２ガイド部材１０５も、底部形成部７４の前板部８２とほぼ平行をなしている。第２ガイド部材１０５は、その上端部の高さが機体１０の上面部２５の高さとほぼ一致させられている。
第２ガイド部材１０５には、延出部１０６が設けられている。延出部１０６は、第２ガイド部材１０５の中間所定位置から該第２ガイド部材１０５に対し直交して延出している。この延出部１０６は、その上端部の高さが機体１０の上面部２５の高さとほぼ一致させられている。延出部１０６は、その前面１０８が前方かつ上方に向いている。
なお、第２ガイド部材１０５の上部には挿通溝１０７が形成されている。第１集積部６９の集積紙幣Ｓをオペレータが取り出すときに、オペレータはこの挿通溝１０７に指を通過させる。その結果、オペレータによる集積紙幣Ｓの取り出しが良好となる。
【００４６】
なお、底部形成部７４および上部カバー部７６の内側に、紙幣を集積させるための集積空間部１０９が形成されている。この集積空間部１０９の上部は開口しており、この部分が、オペレータが紙幣を取り出すための取出口１１０となっている。すなわち、取出口１１０は、底部形成部７４の上板部８３の上端部と、底部形成部７４の両側板部８６，８６の上端部と、上部カバー部７６の第２ガイド部材１０５の上端部とで形成されている。
【００４７】
第１集積部６９は残留紙幣検知センサ１１１を有している。この残留紙幣検知センサ１１１は、第１集積部６９の集積空間部１０９の内部に残留する紙幣の有無を検出する。残留紙幣検知センサ１１１は検知結果を制御部１７に出力する。残留紙幣検知センサ１１１は、発光素子と受光素子とを有している。これら発光素子および受光素子は、底部形成部７４の前板部８２の外側および上部カバー部７６の外側に配置されている。底部形成部７４の前板部８２および上部カバー部７６には、発光素子から受光素子に向けて出力される光を通過させる図示せぬ穴が形成されている。
【００４８】
残留紙幣検知センサ１１１は、発光素子から出力される光を受光素子が検知することで、集積空間部１０９内に残留する紙幣がないことを検知する。他方、残留紙幣検知センサ１１１は、発光素子から出力される光を受光素子が検知できないことで、集積空間部１０９内に残留する紙幣があることを検知する。
第１集積部６９はフル検知センサ１１４を有している。このフル検知センサ１１４は、第１集積部６９の集積空間部１０９内の紙幣が満杯であるか否かを検出する。フル検知センサ１１４は、検知結果を制御部１７に出力する。フル検知センサ１１４は、発光素子と受光素子とを有している。これら発光素子および受光素子は、底部形成部７４の両側板部８６，８６の外側に、上部カバー部７６に近接するように配置されている。底部形成部７４の両側板部８６，８６には、発光素子から受光素子に向けて出力される光を通過させる穴１１５（一方のみ図示）が形成されている。
【００４９】
フル検知センサ１１４は、発光素子から出力される光を受光素子が検知できないことで、集積空間部１０９内の紙幣が満杯状態にあることを検知する。他方、フル検知センサ１１４は、発光素子から出力される光を受光素子が検知することで、集積空間部１０９内の紙幣が満杯状態にないことを検知する。
【００５０】
シャッタ機構部７７は、制御部１７で制御されるもので、図５に示すシャッタ駆動部１１７と、シャッタ１１８とを有している。
シャッタ駆動部１１７は、支持部材１１９と、一対の回転軸（一方のみ図示）１２０と、検知片１２１と、バネ材１２２と、クラッチ１２３と、ギア１２４と、固定軸１２５と、ギア１２６と 、プーリ１２７と、ベルト１２８と、プーリ１２９と、一対のガイドローラ（一方のみ図示）１３０と、シャッタ駆動モータ１３１とを有している。
【００５１】
支持部材１１９は、集積空間部１０９に対し右側のフレーム１３２のさらに右側に固定されている。
図示は略すが、集積空間部１０９に対し左側のフレームのさらに左側にも支持部材が固定されている。
一方の回転軸１２０は、左右方向に延在する状態で右側の支持部材１１９に回転自在に支持されている。図示は略すが、他方の回転軸は、左側の支持部材に回転自在に支持されている。これら回転軸は、同軸をなしている。
検知片１２１は、回転軸１２０に固定されている。
バネ材１２２は、回転軸１２０をその上部が後方に移動する方向に付勢する。
【００５２】
クラッチ１２３は、制御部１７で状態の切り替えが制御されるもので、回転軸１２０に取り付けられている。クラッチ１２３にはギア１２４が取り付けられている。クラッチ１２３は、ギア１２４を回転軸１２０に一体的に固定させる状態と、ギア１２４と回転軸１２０とを切り離す状態とに切り替えられる。
固定軸１２５は、支持部材１１９に固定されている。この固定軸１２５にはギア１２６が回転可能に支持されている。このギア１２６は、クラッチ１２３のギア１２４に常時噛み合っている。
【００５３】
プーリ１２７は、ギア１２６に固定されている。
シャッタ駆動モータ１３１は、支持部材１１９に支持されている。シャッタ駆動モータ１３１は回転軸１３３を有している。シャッタ駆動モータ１３１は制御部１７で回転軸１３３の回転・停止と回転時における回転方向とが制御される。この回転軸１３３にはプーリ１２９が固定されている。
ガイドローラ１３０は、シャッタ駆動モータ１３１とギア１２６との間に設けられている。
ベルト１２８は、その一端部がプーリ１２７にかけられるとともに他端部がプーリ１２９にかけられ、さらに中間部が一対のガイドローラ１３０にかけられている。
【００５４】
シャッタ１１８は、一対の回転軸１２０の間に固定されている。シャッタ１１８は、湾曲板部１３５と、平板部１３６と、一対の突起部１３７，１３７と、傾斜部１３９とを有している。
湾曲板部１３５は、円筒を中心軸線を通る二つの平面で切断したときにできる形状をなしている。湾曲板部１３５は、その中心軸線を回転軸１２０の回転中心に一致させられている。
突起部１３７，１３７は、図６に示すように、湾曲板部１３５の左右両側に形成されている。突起部１３７，１３７も湾曲板部１３５と連続するように円筒の一部の形状をなしている。すなわち、突起部１３７，１３７の中心軸線および半径は湾曲板部１３５の中心軸線および半径と一致している。
【００５５】
図４に示すように、平板部１３６は、湾曲板部１３５の突起部１３７，１３７に対し反対側に形成されている。湾曲板部１３５は、全体として、平板部１３６の厚み方向における一側に配置されている。
傾斜部１３９は、湾曲板部１３５と平板部１３６との境界位置に形成されている。傾斜部１３９は、その湾曲板部１３５側の部分が、湾曲板部１３５の頂部に近接するように平板部１３６に対し傾斜している。傾斜部１３９は、シャッタ１１８の左右方向における中間部に形成されている。
【００５６】
シャッタ駆動部１１７が、クラッチ１２３でギア１２４と回転軸１２０とを固定した状態で、シャッタ駆動モータ１３１を所定の一方向に駆動する。これにより、シャッタ駆動モータ１３１の回転軸１３３の回転が、プーリ１２９、ベルト１２８、プーリ１２７、ギア１２６、ギア１２４およびクラッチ１２３を伝わって回転軸１２０に伝達される。これにより、図４および図７に示すように、シャッタ１１８が、湾曲板部１３５よりも平板部１３６を後側に配置し、かつ湾曲板部１３５よりも突起部１３７，１３７を前側に配置した状態で、取出口１１０を閉塞させる。このとき湾曲板部１３５は上側に凸となる。
【００５７】
また、この状態で、シャッタ駆動部１１７が、クラッチ１２３でギア１２４と回転軸１２０とを固定したまま、シャッタ駆動モータ１３１を停止させる。すると、シャッタ１１８が取出口１１０を閉塞させた状態で、開くことできないように固定される。
このような閉状態において、シャッタ１１８は、集積空間部１０９に集積させた紙幣の該集積空間部１０９から外への取り出しを一切不可とする。
【００５８】
シャッタ駆動部１１７が、クラッチ１２３でギア１２４と回転軸１２０とを固定した状態で、シャッタ駆動モータ１３１を所定の逆方向に駆動する。これにより、シャッタ駆動モータ１３１の回転軸１３３の回転が、プーリ１２９、ベルト１２８、プーリ１２７、ギア１２６、ギア１２４およびクラッチ１２３を伝わって回転軸１２０に伝達される。これにより、図８に示すように、シャッタ１１８は、平板部１３６が上側かつ前側に位置するように回転する。最終的に、シャッタ１１８は、取出口１１０を開放させる。
ここで、シャッタ１１８は、取出口１１０を全開させる直前の所定位置から全開させるまでの位置の間で、突起部１３７，１３７が前から後に移動する。この結果、突起部１３７，１３７は、底部形成部７４の前板部８２の挿通溝部９７を通って集積空間部１０９内に突出する。
【００５９】
シャッタ１１８は、取出口１１０を全開させた状態においては、平板部１３６が上側に位置しかつ湾曲板部１３５が下側に位置する。しかも、平板部１３６は、その上部が下部に比して前側に位置するように傾斜する。
また、この状態で、シャッタ駆動部１１７が、クラッチ１２３でギア１２４と回転軸１２０とを固定したまま、シャッタ駆動モータ１３１を停止させる。すると、シャッタ１１８が取出口１１０を全開させた状態で固定される。
このような開状態において、シャッタ１１８は、集積空間部１０９に集積させた紙幣の該集積空間部１０９から外への取り出しを可能とする。
【００６０】
シャッタ駆動部１１７が、クラッチ１２３でギア１２４と回転軸１２０との連結を切った状態とする。すると、シャッタ１１８はオペレータによる手動で、取出口１１０を開閉可能となる。ただし、クラッチ１２３でギア１２４と回転軸１２０との連結を切った状態では、バネ材１２２がシャッタ１１８を付勢する。その方向は、シャッタ１１８が取出口１１０を閉塞させる方向である。このため、オペレータの力がシャッタ１１８に加わらない状態では、シャッタ１１８は取出口１１０を閉塞させた状態となる。
【００６１】
なお、取出口１１０を閉塞させた状態のシャッタ１１８は、その平板部１３６が、払出機構部７５の紙幣を繰り出す方向の前方に位置することになる。これにより、閉状態のシャッタ１１８は、払出機構部７５で繰り出された紙幣の繰出方向の移動を規制する。その結果、払出機構部７５は繰り出した紙幣の後端部を羽根車１０２で前板部８２の方向に叩くことができる。
【００６２】
シャッタ駆動部１１７は、シャッタ閉位置センサ１４１とシャッタ開位置センサ１４２とを有している。
シャッタ閉位置センサ１４１は、検知片１２１の検出の有無により、シャッタ１１８が取出口１１０を完全に閉塞させる状態（図４および図７に示す状態）にあるか否かを検出する。
シャッタ開位置センサ１４２は、検知片１２１の検出の有無により、シャッタ１１８が取出口１１０を完全に開放させる状態（図８に示す状態）にあるか否かを検出する。
これら、シャッタ閉位置センサ１４１およびシャッタ開位置センサ１４２は、検出結果を制御部１７に出力する。
【００６３】
また、第１集積部６９には、図６および図７に示すように、ガイド機構部（ガイド手段）１４４が設けられている。ガイド機構部１４４は、左右一対のガイド板１４５，１４５と、各ガイド板１４５，１４５にそれぞれ設けられた芯棒１４７およびバネ材１４８とを有している。
ガイド板１４５は、主板部１４９と、係合片部１５０と、複数のガイド片部１５１とを有している。
係合片部１５０は、主板部１４９の上端部に形成されている。係合片部１５０は、主板部１４９に対し直角をなしている。
ガイド片部１５１は、主板部１４９の下端部に突出形成されている。ガイド片部１５１は、主板部１４９と同一面に配置される。
【００６４】
ガイド板１４５，１４５は、底部形成部７４の上側に配置される。すなわち、ガイド板１４５，１４５は、それぞれ、係合片部１５０が底部形成部７４の前板部８２の上部係合長穴９６に係合され、かつガイド片部１５１が後板部８１のガイド溝８９に挿入される。
このとき、ガイド板１４５，１４５は、係合片部１５０と主板部１４９との間の屈曲部１５２の近傍部分が前板部８２に支持されることになる。その結果、ガイド板１４５，１４５は、回転自在となるように第１集積部６９に支持されることになる。このときの回転中心は、屈曲部１５２と前板部８２との接触点Ｂになる。ガイド板１４５，１４５は、第１集積部６９における取出口１１０側に回転自在に支持されることになる。
ただし、ガイド板１４５，１４５の回転可能な範囲は、ガイド片部１５１が挿入されるガイド溝８９の大きさで決められている。
【００６５】
ガイド板１４５，１４５の主板部１４９には、芯棒１４７が固定されている。この芯棒１４７は主板部１４７と直交している。この芯棒１４７は、底部形成部７４の前板部８２に形成された長穴９５を通り、支持板部８４に形成された長穴９８を通っている。
バネ材１４８は、その内側に芯棒１４７を挿通させている。バネ材１４８は、主板部１４９と支持板部８４との間に配置されている。バネ材１４８は、ガイド片部１５１がガイド溝８９の後端部に位置するようにガイド板１４５，１４５を付勢する。
なお、集積空間部１０９は、ガイド板１４５，１４５よりも上部カバー部７６側とされる。
【００６６】
以上により、ガイド板１４５，１４５の上に紙幣が載せられていない状態では、図７に示すように、ガイド板１４５，１４５は、バネ材１４８に付勢力によって、ガイド片部１５１をガイド溝８９の後端部に位置させる。この状態で、ガイド板１４５，１４５は、前板部８２とのなす角度を最も大きくする。すなわち、この状態で、ガイド板１４５，１４５はその下端部を、前板部８２の下端部より上側かつ後側に位置させ、集積空間部１０９の容積を最も小さくする。
【００６７】
ガイド板１４５，１４５がこの状態にあるときに、払出機構部７５が、紙幣を集積空間部１０９に繰り出させた後、羽根車１０２によって前板部８２の方向に叩き落す。すると、紙幣はガイド板１４５，１４５の上、またはガイド板１４５，１４５の上に既に集積された紙幣の上に載置される。この状態で、初めにガイド板１４５，１４５に載置される紙幣は水平に対する角度が最も小さい。
【００６８】
このようにして順次紙幣がガイド板１４５，１４５の上に載せられると、紙幣の重量によって、ガイド板１４５，１４５が屈曲部１５２を中心に回転する。このときのガイド板１４５，１４５の回転角度は紙幣の重量に応じた角度となる。すなわち、紙幣の重量が大きくなればなるほど、ガイド板１４５，１４５と前板部８２とのなす角度が小さくなる。紙幣の重量が大きくなればなるほど、ガイド板１４５，１４５は、集積空間部１０９の容積を大きくする。
言い換えれば、ガイド板１４５，１４５は、第１集積部６９に搬送部１２から繰り出された紙幣の重量に応じて移動する。また、バネ材１４８は、ガイド板１４５，１４５を付勢することにより、第１集積部６９に搬送部１２から繰り出された紙幣の重量に応じた位置に、ガイド板１４５，１４５を位置させる。
【００６９】
そして、ガイド板１４５，１４５の上に所定量以上の紙幣が載せられると、ガイド板１４５，１４５が、バネ材１４８を縮めつつそのガイド片部１５１をガイド溝８９の前端部に位置させる。この状態で、ガイド板１４５，１４５は、前板部８２とのなす角度を最も小さく、具体的には０とする。すなわち、この状態で、ガイド板１４５，１４５は集積空間部１０９の容積を最も大きくする。この状態で、ガイド板１４５，１４５に載置された紙幣は水平に対する角度が最も大きくなる。
これにより、ガイド板１４５，１４５は、第１集積部６９の集積紙幣Ｓの重量に応じて集積紙幣Ｓの姿勢を変更することになる。
【００７０】
さらに、第１集積部６９には、図４、図６および図８に示す押出部材（姿勢変更手段）１５４が設けられている。押出部材１５４は、左右のガイド板１４５，１４５の間に配置されている。
押出部材１５４は、主板部１５５と、係合片部１５６とを有している。
係合片部１５６は、主板部１５５の下端部に形成されている。係合片部１５６は、主板部１５５に対し直角をなしている。
主板部１５５の上部には凹部１５７が形成されている。主板部１５５の下部には上下方向に延在する一対の長穴１５８，１５８が左右両側に形成されている。これらの長穴１５８，１５８は、残留紙幣検出センサ１１１の発光素子から出力される光を通過させる。
【００７１】
押出部材１５４は、底部形成部７４の上側に配置される。すなわち、押出部材１５４は、係合片部１５６が、底部形成部７４の後板部８１の下部係合長穴９０に係合され係止板部９３の上に載置される。このとき、押出部材１５４は、係合片部１５６と主板部１５５との間の屈曲部１５９が支持部材８０に支持されることになる。
その結果、押出部材１５４は、回転自在となるように第１集積部６９に支持されることになる。このときの回転中心は、支持部材８０と屈曲部１５９との接触点Ａになる。
【００７２】
主板部１５５の上端部は、シャッタ１１８の突起部１３７，１３７に当接可能とされている。
図４に示すように、シャッタ１１８が取出口１１０を閉じた状態では、該シャッタ１１８の突起部１３７，１３７は主板部１５５に当接することはない。図８に示すように、シャッタ１１８が取出口１１０を開くよう回転すると、所定位置で突起部１３７，１３７が主板部１５５に前側から当接する。この所定位置は、シャッタ１１８が取出口１１０を全開させる直前である。そして、この所定位置からシャッタ１１８が取出口１１０を全開させるまでの間、突起部１３７，１３７は主板部１５５を上部カバー部７６の方向に押す。
【００７３】
図４に示すように、シャッタ機構部７７のシャッタ１１８が閉じられた状態では、押出部材１５４は、自重により、前板部８２とのなす角度を最も小さく、具体的には０とする。このとき、押出部材１５４は、前板部８２に重なり合うことになる。
押出部材１５４がこの状態にあるときに、払出機構部７５が、紙幣を、底部形成部７４の前板部８２とほぼ平行をなす状態で繰り出させた後、ほぼその姿勢のまま羽根車１０２によって前板部８２の方向に叩き落す。すると、紙幣は押出部材１５４の上、またはガイド板１４５，１４５の上に載置される。
【００７４】
この状態から制御部１７がシャッタ機構部７７のシャッタ１１８を開くと、押出部材１５４は、シャッタ１１８の回転に連動して回転する。このとき、押出部材１５４は、前板部８２とのなす角度を最も大きくするよう回転する。すると、集積紙幣Ｓは、上部を上側かつ後側に移動させる。すなわち、押出部材１５４は、制御部１７の制御によるシャッタ１１８の開作動時に、集積紙幣Ｓの姿勢を変更することになる。このとき、集積紙幣Ｓは、その上部が底部形成部７４の前板部８２から離間するように姿勢が変わる。言い換えれば、集積紙幣Ｓは、その上部の位置が高くなるように起き上がる。その結果、取出口１１０からの紙幣の取り出しが容易となる。
【００７５】
なお、上述したガイド板１４５，１４５を、第１集積部６９に搬送部１２から繰り出された紙幣の重量で変形する、弾性変形可能な樹脂材料で形成することも可能である。
この場合、図９に示すように、底部形成部７４の前板部８２と上板部８３との境界にガイド板１４５，１４５の上端部を固定する。そして、該ガイド板１４５，１４５の上に紙幣が載せられると、載せられた紙幣の重量によって、ガイド板１４５，１４５が変形する。この場合も、紙幣の重量が大きくなればなるほど、ガイド板１４５，１４５と前板部８２とのなす角度が小さくなる。
【００７６】
なお、図３に示すように、第２集積部７０は、その払出機構部７５が、第５搬送路４９に接続されている以外は、第１集積部６９と同様である。
第３集積部７１も、その払出機構部７５が、第３搬送路４７に接続されている以外は、第１集積部６９と同様である。
以上により、複数の集積部６９〜７１には、それぞれ個別に、シャッタ１１８と、該シャッタ１１８を開閉させるシャッタ駆動モータ１３１を含むシャッタ駆動部１１７とが設けられている。
【００７７】
次に、リジェクト部７２について図３を参照して説明する。
リジェクト部７２は、底部形成部１６１と、払出機構部１６２と、上部カバー部１６３と、開閉機構部１６４とを有している。
底部形成部１６１は、後板部１６５と、前板部１６６と、上板部１６７と、図示せぬ一対の側板部とを有している。
後板部１６５は、後部が上側に前部が下側に位置するように、第１集積部６９の後板部８１とほぼ同じ角度で傾斜されている。ここで、リジェクト部７２の後板部１６５の前後方向長さは、第１集積部６９の後板部８１の前後方向長さより短くされている。
【００７８】
前板部１６６は、後板部１６５の前端部から前方かつ上方に向け形成されている。この前板部１６６は、第１集積部６９の前板部８２とほぼ同じ角度で傾斜している。
上板部１６７は、前板部１６６の上端部から前方に向け形成されている。上板部１６７は、水平に延在している。上板部１６７の前端部の位置は、装填部１１の装填後面部３２の位置と合っている。
両側板部は、前板部１６６および後板部１６５の両側に設けられている。両側板部は、機体１０の側面部２２，２２と平行に配置されている。
払出機構部１６２は、第８搬送路５２に接続される点以外、第１集積部６９の払出機構部７５と同様である。
【００７９】
上部カバー部１６３は、払出機構部１６２の上側に設けられている。上部カバー部１６３は、第１板部１７０と第２板部１２１とを有している。
第１板部１７０は、底部形成部１６１の前板部１６６とほぼ平行をなしている。第１板部１７０は、その上端部の高さが機体１０の上面部２５の高さとほぼ一致させられている。
【００８０】
第２板部１７１は、第１板部１７０の上端部から前方かつ下方に向け形成されている。
上部カバー部１６３には、第１板部１７０の中間所定位置から該第１板部１７０に対し直交して延出する延出部１７２が設けられている。この延出部１７２は、その上端部の高さが機体１０の上面部２５の高さとほぼ一致させられている。延出部１７２は、その前面１７３が前方かつ上方に向いている。
【００８１】
なお、底部形成部１６１および上部カバー部１６３の内側が、紙幣を集積させるための集積空間部１７４となっている。この集積空間部１７４の上部は、オペレータが紙幣を取り出すためのリジェクト口１７５となっている。すなわち、リジェクト口１７５は、底部形成部１６１の前板部１６６の上端部と、底部形成部１６１の両側板部の上端部と、上部カバー部１６３の第２板部１７１の前端部とで形成されている。
【００８２】
ここで、リジェクト部７２の底部形成部１６１の前板部１６６と上部カバー部１６３の第１板部１７０との距離は、第１集積部６９の底部形成部７４の前板部８２と第１ガイド部材１０４との距離より短くされている。これにより、リジェクト部７２の集積空間部１７４は、第１集積部６９の集積空間部１０９よりも容積が小さくされている。
リジェクト部７２も、第１集積部６９と同様の残留紙幣検知センサ１１１およびフル検知センサ１１４を有している（図２参照）。リジェクト部７２には、これらの発光素子から受光素子に向けて出力される光を通過させる穴も形成されている。
【００８３】
開閉機構部１６４は、オペレータにより手動で開閉されるもので、開閉扉１７７と、回転軸１７８と、図示せぬバネ材とを有している。
回転軸１７８は、底部形成部１６１の上板部１６７の上側に配置されている。回転軸１７８は、左右方向に延在している。
バネ材は、回転軸１７８をその上部が後方に移動する方向に付勢する。
【００８４】
開閉扉１７７は、上記回転軸１７８に固定されている。開閉扉１７７は、第１平板部１８０と、第２平板部１８１と、支持部１８２とを有している。
第１平板部１８０と第２平板部１８１とは鈍角をなしている。
支持部１８２は、第２平板部１８１の第１平板部１８０に対し反対側に形成されている。
この開閉扉１７７は、支持部１８２が回転軸１７８に固定されている。
【００８５】
開閉扉１７７は、オペレータの力がかからない状態では、バネ材の付勢力で、第２平板部１８１よりも第１平板部１８０を後側に配置し、かつ第２平板部１８１を立てた状態で、リジェクト口１７５を閉塞させる。
このようにリジェクト口１７５を閉塞した状態の開閉扉１７７は、その第１平板部１８０が、払出機構部１６２の繰出方向の前方に位置することになる。これにより、閉状態の開閉扉１７７は、払出機構部１６２で繰り出された紙幣の繰出方向の移動を規制する。その結果、払出機構部１６２は、繰り出した紙幣の後端部を羽根車１０２で叩くことができることになる。
【００８６】
このように開閉扉１７７がリジェクト口１７５を閉塞した状態から、オペレータが手動で開閉扉１７７を回転させる。すると、開閉扉１７７は、回転軸１７８を中心に回転して前方に倒れる。これにより、リジェクト口１７５が開放される。他方、この状態で、オペレータが開閉扉１７７への力を抜くと、バネ材の付勢力で、開閉扉１７７は回転してリジェクト口１７５を閉塞させる。
なお、リジェクト部７２には、第１集積部６９では設けられていたガイド機構部１４４および押出部材１５４は、設けられていない。
【００８７】
以上により、リジェクト部７２の開閉扉１７７は、いつでもオペレータによる手動でリジェクト口１７５を開閉可能である。これに対し、集積部６９〜７１のシャッタ１１８では、オペレータによる手動では取出口１１０を開閉できない状態を必要に応じて作り出すことができる。しかも、集積部６９〜７１のシャッタ１１８は、自動で開閉することになる。
【００８８】
［操作部］
操作部１５は、図１および図２に示すように、一対のスタート／ストップキー１８４，１８４と、第１操作部１８５と、第２操作部１８６とを有している。
一方のスタート／ストップキー１８４は、機体１０の上面部２５のリジェクト部７２に対し左側に設けられている。他方のスタート／ストップキー１８４は、機体１０の上面部２５のリジェクト部７２に対し右側に設けられている。これらのスタート／ストップキー１８４，１８４は、押される毎に信号を制御部１７に出力する。
【００８９】
第１操作部１８５は、機体１０の上面部２５の第２集積部７０の左側に設けられている。
第１操作部１８５は、図１０に示すように、「バッチ」の文字が表示された「バッチ」キー１８８と、「表裏」の文字が表示された「表裏」キー１８９と、「正損」の文字が表示された「正損」キー１９０と、「ＵＶ」の文字が表示された「ＵＶ」キー１９１と、「１００」の数字が表示された「１００」キー１９２と、「５０」の数字が表示された「５０」キー１９３と、「１０」の数字が表示された「１０」キー１９４と、「ＯＬ」の文字が表示された「ＯＬ」キー１９５と、「印字」の文字が表示された「印字」キー１９６と、「ファンクション」の文字が表示された「ファンクション」キー１９７とを有している。これらのキー１８８〜１９７は、押される毎に信号を制御部１７に出力する。
【００９０】
第１操作部１８５には、扉が設けられておらず、常に外部に露出している。これは、第１操作部１８５は、使用頻度が高いためである。
【００９１】
第２操作部１８６は、機体１０の上面部２５の第１操作部１８５より手前に設けられている。第２操作部１８６は、第１操作部１８５と隣り合っている。
第２操作部１８６は、「０」の文字が表示された「０」キー〜「９」の文字が表示された「９」キーを有するテンキー１９９、「枚額」の文字が表示された「枚額」キー２００、「合計」の文字が表示された「合計」キー２０１、「設定」の文字が表示された「設定」キー２０２、「モード」の文字が表示された「モード」キー２０３、「ＣＥ」の文字が表示された「ＣＥ」キー２０４および「ＥＮＴ」の文字が表示された「ＥＮＴ」キー２０５を有している。これらのキー１９９〜２０５は、押される毎に信号を制御部１７に出力する。
【００９２】
この第２操作部１８６には、手動のスライド扉２０６が設けられており、外部に露出する状態と外部に露出しない状態とに切り替えられる。これは、第２操作部１８６は、使用頻度が低いためである。
【００９３】
以上に述べたキー１８４，１８８〜１９７，１９９〜２０５の機能について、図１１の図表に示す。
この図表において、「分類設定」で○印が付いているものは、主に、装填部１１に装填された紙幣を集積部６９〜７１に分類させる分類処理の際の分類の仕方を設定する分類設定時に使用されるキーである。
【００９４】
また、この図表において、「機能設定」で○印が付いているものは、主に、以下の▲１▼〜▲３▼の機能設定を行う場合に使用される。
▲１▼バッチ処理の枚数の設定。ここで、バッチ処理は、装填部１１に装填された紙幣を、予め定められた枚数（例えば１００枚）ずつに分ける処理である。
▲２▼損券判別レベルの設定。ここで、損券判別レベルは、第１鑑別部６６で検出した紙幣が、正券であるか損券であるかを区別する際の判定レベルである。損券判別レベルは、Ｈ、Ｍ、Ｌの３段階がある。Ｈは高いレベル、Ｍは中間のレベル、Ｌは低いレベルとなる。損券判別レベルがＨのとき、紙幣の汚損および損傷の度合いが小さくても損券と判定される。逆に、損券判別レベルがＬのとき、紙幣の汚損および損傷の度合いが比較的大きくても損券と判定されない。
【００９５】
▲３▼ＵＶ判別レベルの設定。ここで、ＵＶ判別レベルは、第２鑑別部６７が紙幣に照射した紫外線によって紙幣に生じる可視反射光の検出の有無を判定する際の判定レベルである。
ＵＶ判別レベルは、Ｈ、Ｍ、Ｌの３段階がある。Ｈは高いレベル、Ｍは中間のレベル、Ｌは低いレベルとなる。ＵＶ判別レベルがＬのとき、紙幣からの反射光が少なくても反射光有りと判定される。逆に、ＵＶ判別レベルがＨのとき、紙幣からの反射光が比較的高くても反射光無しと判定される。
数が限られたこれらのキー１８４，１８８〜１９７，１９９〜２０５で多数の設定を行う。このため、一つのキーが複数の機能を有している。以下には、各キー１８４，１８８〜１９７，１９９〜２０５の主な機能を説明する。
【００９６】
スタート／ストップキー１８４は、分類処理の開始および停止を操作する場合にオペレータにより押圧される。また、分類処理の終了後、シャッタ１１８を開く際にオペレータにより押圧される。
紙幣整理機が分類処理を行っていない待機状態においてスタート／ストップキー１８４のいずれか一方から信号が出力される。すると、制御部１７では、紙幣整理機をこのスタート／ストップキー１８４の占有状態とする。すなわち、次に待機状態となるまで他方のスタート／ストップキー１８４からの信号は受け付けない状態となる。
【００９７】
「バッチ」キー１８８は、例えば、分類処理にバッチ処理を組み合わせて行う処理を設定する場合にオペレータにより押圧される。また、「バッチ」キー１８８は、分類処理の実行中に集積部６９〜７１の紙幣の残量を表示部１６に表示させる場合にオペレータにより押圧される。
「表裏」キー１８９は、例えば、分類処理として表裏分類処理を設定する場合にオペレータにより押圧される。ここで、表裏分類処理とは、装填部１１に装填された紙幣を、表が一方に向いたものと裏が前記一方に向いたものとに分離する処理である。
【００９８】
「正損」キー１９０は、例えば、分類処理として正損分類処理を設定する場合にオペレータにより押圧される。また、「正損」キー１９０は、既に設定されている損券判別レベルの内容を表示部１６に表示させる場合にオペレータにより押圧される。ここで、正損分類処理とは、装填部１１に装填された紙幣を、正券と、損券とに分離する処理である。
「ＵＶ」キー１９１は、例えば、リジェクト部７２に繰り出された紙幣の内容を表示部１６に表示させる際にオペレータにより押圧される。
【００９９】
「１００」キー１９２は、例えば、Ａ金種を選択する際にオペレータにより押圧される。例えば、この紙幣整理機が日本国内で使用される場合には、Ａ金種は万券であり、これを表す数値は「１００」となる。
「５０」キー１９３は、例えば、Ｂ金種を選択する際にオペレータにより押圧される。例えば、この紙幣整理機が日本国内で使用される場合には、Ｂ金種は五千券であり、これを表す数値は「５０」となる。
「１０」キー１９４は、例えば、Ｃ金種を選択する際にオペレータにより押圧される。例えば、この紙幣整理機が日本国内で使用される場合には、Ｃ金種は千券であり、これを表す数値は「１０」となる。
【０１００】
「ＯＬ」キー１９５は、例えば、この紙幣整理機と他の機器とを接続しオンラインでデータ通信を行う場合にオペレータにより押圧される。
「バッチ」キー１８８、「表裏」キー１８９、「正損」キー１９０、「ＵＶ」キー１９１、「１００」キー１９２、「５０」キー１９３、「１０」キー１９４および「設定」キー２０２によって、装填部１１に装填される紙幣の分類の仕方を決める複数の分類処理モードの中から一つの分類処理モードを選択する操作がなされる。
【０１０１】
「印字」キー１９６は、例えば、設定データや処理により得られたデータを印字させる場合にオペレータにより押圧される。
「ファンクション」キー１９７は、例えば、複数の機能設定のうちの一つを選択する場合にオペレータにより押圧される。
【０１０２】
テンキー１９９は、例えば、数値を入力する際にオペレータにより押圧される。
「枚額」キー２００は、例えば、表示部１６に、枚数を表示させる（枚数表示と称す）か、金額を表示させる（金額表示と称す）かを切り替える場合にオペレータにより押圧される。
なお、分類処理が開始される時には、枚数表示および金額表示のいずれか一方が最初に表示されるように予め設定されている。
「合計」キー２０１は、例えば、表示部１６に、合計値を表示させる（合計表示と称す）か、小計値を表示させる（小計表示と称す）かを切り替える場合にオペレータにより押圧される。この小計値とは、各集積部６９〜７１のそれぞれに実際に集積されている紙幣の枚数または金額の個別の値、およびこれら全集積部６９〜７１の枚数または金額の値を累計した値である。合計値とは、一の分類処理において各集積部６９〜７１にそれぞれ送り込まれた紙幣の枚数または金額の個別の値、およびこれら全集積部６９〜７１の枚数または金額の値を累計した値となる。
なお、分類処理が開始される時には、小計表示および合計表示のいずれか一方が最初に表示されるように予め設定されている。
【０１０３】
「設定」キー２０２は、例えば、設定の初期化を行う場合にオペレータにより押圧される。
「モード」キー２０３は、例えば、処理モードを設定する場合にオペレータにより押圧される。
「ＣＥ」キー２０４は、入力された数値を取り消す場合にオペレータにより押圧される。
「ＥＮＴ」キー２０５は、入力された内容を確定する場合にオペレータにより押圧される。
【０１０４】
［表示部］
表示部１６は、機能表示部２０８と、全体表示部（全体表示手段）２０９と、第１個別表示部（表示手段）２１０と、第２個別表示部（表示手段）２１１と、第３個別表示部（表示手段）２１２と、リジェクト表示ランプ２１３と、一対の占有表示ランプ２１４，２１４とを有している。これらは、それぞれ表示させる内容を変更可能であり、それぞれの表示内容が制御部１７によって制御されるようになっている。
機能表示部２０８は、図１に示すように、機体１０の上面部２５の第１操作部１８５より後側に設けられている。機能表示部２０８は、第１操作部１８５と隣り合っている。機能表示部２０８は、機能設定時の設定内容およびガイダンスを表示させる。また、機能表示部２０８は、全体表示部２０９および個別表示部２１０〜２１２に表示される以外の情報を表示させる。その表示内容は、図１０に示すようになっている。
【０１０５】
全体表示部２０９は、図１に示すように、機体１０の上面部２５の最も後部に立設されている。この全体表示部２０９は、例えば、集積部６９〜７１のすべてに集積された紙幣の枚数および金額の少なくともいずれか一方を表示可能となっている。この全体表示部２０９は、集積部６９〜７１のすべてに共通のもので、例えば、紙幣整理機の全体に関するデータを表示させる。その表示内容は、図１５に示すようになっている。
すなわち、全体表示部２０９は、ガイダンス表示部２１６と、「異常」ランプ２１７と、「合計」ランプ２１８と、「枚数」ランプ２１９と、「金額」ランプ２２０と、デジタル表示部２２１とを有している。ここで「枚数」ランプ２１９および「金額」ランプ２２０を、全体枚額ランプ群２２２と称す。
【０１０６】
ガイダンス表示部２１６は、全体表示部２０９の最も左側に設けられている。ガイダンス表示部２１６は、紙幣整理機の概略レイアウト図が表示されている。この概略レイアウト図には、紙幣整理機の各部に対応する位置にＬＥＤ２２３が設けられている。このＬＥＤ２２３は点灯／消灯する。
集積部６９〜７１およびリジェクト部７２のいずれかにおいて、集積された紙幣が満杯となったことがフル検知センサ１１４で検出される。この場合に、制御部１７は異常と判断する。そして、制御部１７は、ガイダンス表示部２１６の異常対象箇所に対応するＬＥＤ２２３を点灯させる。
また、搬送部１２に設けられた紙幣検知センサ６４で搬送不良が検出された場合にも、制御部１７は異常と判断する。そして、制御部１７は、ガイダンス表示部２１６の異常対象箇所に対応するＬＥＤ２２３を点灯させる。
さらに、バッチ処理時においても、制御部１７は、集積紙幣がバッチ枚数に達した集積部６９〜７１があると、これに対応するガイダンス表示部２１６のＬＥＤ２２３を点灯させる。
【０１０７】
「異常」ランプ２１７は、ガイダンス表示部２１６の右側の上に設けられている。この「異常」ランプ２１７は、異常が生じたことを表す「異常」という文字と、この「異常」の文字の裏側に設けられたＬＥＤからなるバックライトとを有している。このバックライトは点灯／消灯する。
集積部６９〜７１およびリジェクト部７２のいずれかにおいて、集積された紙幣が満杯となったことがフル検知センサ１１４で検出される。この場合に、制御部１７は異常と判断する。そして、制御部１７は、「異常」ランプ２１７を点灯させる。
また、搬送部１２に設けられた紙幣検知センサ６４で搬送不良が検出された場合にも、制御部１７は異常と判断する。そして、制御部１７は、「異常」ランプ２１７を点灯させる。
【０１０８】
「合計」ランプ２１８は、「異常」ランプ２１７の下側に設けられている。この「合計」ランプ２１８は、「合計」の文字と、この「合計」の文字の裏側に設けられたＬＥＤからなるバックライトとを有している。この「合計」の文字は、金額の合計値または枚数の合計値をデジタル表示部２２１に表示させることを表す。バックライトは点灯／消灯する。
【０１０９】
「枚数」ランプ２１９は、「異常」ランプ２１７の右側に設けられている。「枚数」ランプ２１９は、枚数を表す文字「枚数」と、この「枚数」の文字の裏側に設けられたＬＥＤからなるバックライトとを有している。このバックライトは点灯／消灯する。
「金額」ランプ２２０は、「合計」ランプ２１８の右側に設けられている。「金額」ランプ２２０は、金額を示す文字「金額」と、この「金額」の文字の裏側に設けられたＬＥＤからなるバックライトとを有している。このバックライトは点灯／消灯する。
デジタル表示部２２１は、「枚数」ランプ２１９および「金額」ランプ２２０の右側に設けられており、任意の８桁の数値を表示可能なＬＥＤからなる。
【０１１０】
第１個別表示部２１０は、図１に示すように、第１集積部６９の延出部１０６に設けられている。よって、第１個別表示部２１０は、第１集積部６９の取出口１１０およびシャッタ１１８のすぐ後側に設けられている。この第１個別表示部２１０は、これに対応する第１集積部６９に関するデータを表示可能となっている。このデータは、例えば、第１集積部６９に集積された紙幣の枚数および金額の少なくともいずれか一方である。
【０１１１】
第２個別表示部２１１は、第２集積部７０の延出部１０６に設けられている。よって、第２個別表示部２１１は、第２集積部７０の取出口１１０およびシャッタ１１８のすぐ後側に設けられている。この第２個別表示部２１１は、これに対応する第２集積部７０に関するデータを表示可能となっている。このデータは、例えば、第２集積部７０に集積された紙幣の枚数および金額の少なくともいずれか一方である。
【０１１２】
第３個別表示部２１２は、第３集積部７１の延出部１０６に設けられている。よって、第３個別表示部２１２は、第３集積部７１の取出口１１０およびシャッタ１１８のすぐ後側に設けられている。この第３個別表示部２１２は、これに対応する第３集積部７１に関するデータを表示可能となっている。このデータは、例えば、第３集積部７１に集積された紙幣の枚数および金額の少なくともいずれか一方である。
これにより複数の集積部６９〜７１には、それぞれに対応して個別表示部２１０〜２１２が設けられている。
【０１１３】
第１個別表示部２１０、第２個別表示部２１１および第３個別表示部２１２は、いずれにおいても、図１４に示すように、金種ランプ群２２４と、内容ランプ群２２５と、枚額ランプ群２２６と、デジタル表示部２２７とを有している。
金種ランプ群２２４は、「１００」ランプ２２９、「５０」ランプ２３０および「１０」ランプ２３１を有している。
内容ランプ群２２５は、表ランプ２３２、裏ランプ２３３、正ランプ２３４および損ランプ２３５を有している。
枚額ランプ群２２６は、「枚数」ランプ２３７と、「金額」ランプ２３８とを有している。
【０１１４】
「１００」ランプ２２９は、Ａ金種を示す数字である「１００」と、この「１００」の数字の裏側に設けられたＬＥＤからなるバックライトとを有している。このバックライトは点灯／消灯する。
「５０」ランプ２３０は、「１００」ランプ２２９の右側に設けられている。「５０」ランプは、Ｂ金種を示す数字である「５０」と、この「５０」の数字の裏側に設けられたＬＥＤからなるバックライトとを有している。このバックライトは点灯／消灯する。
「１０」ランプ２３１は、「５０」ランプ２３０の右側に設けられている。「１０」ランプ２３１は、Ｃ金種を示す数字である「１０」と、この「１０」の数字の裏側に設けられたＬＥＤからなるバックライトとを有している。このバックライトは点灯／消灯する。
【０１１５】
表ランプ２３２は、「１０」ランプ２３１の右側の上に設けられたＬＥＤで、点灯／消灯する。表ランプ２３２の右側には、表券を示す文字である「表」が表示されている。
裏ランプ２３３は、表ランプ２３２の下に設けられたＬＥＤで、点灯／消灯する。この裏ランプ２３３の右側には、裏券を示す文字である「裏」が表示されている。
正ランプ２３４は、文字「表」の右側に設けられたＬＥＤで、点灯／消灯する。この正ランプ２３４の右側には、正券を示す文字である「正」が表示されている。
損ランプ２３５は、正ランプ２３４の下に設けられたＬＥＤで、点灯／消灯する。この損ランプ２３５の右側には、損券を示す文字である「損」が表示されている。
【０１１６】
「枚数」ランプ２３７は、文字「正」の右側に設けられている。「枚数」ランプ２３７は、枚数を示す文字である「枚数」と、この「枚数」の文字の裏側に設けられたＬＥＤからなるバックライトとを有している。このバックライトは点灯／消灯する。
「金額」ランプ２３８は、文字「損」の右側に設けられている。「金額」ランプ２３８は、金額を示す文字である「金額」と、この「金額」の文字の裏側に設けられたＬＥＤからなるバックライトとを有している。このバックライトは点灯／消灯する。
デジタル表示部２２７は、「枚数」ランプ２３７および「金額」ランプ２３８の右側に設けられており、任意の８桁の数値を表示可能なＬＥＤからなる。
【０１１７】
リジェクト表示ランプ２１３は、図１に示すように、リジェクト部７２の延出部１７２に設けられたＬＥＤからなる。よって、リジェクト表示ランプ２１３は、リジェクト部７２のリジェクト口１７５および開閉扉１７７のすぐ後側に設けられている。制御部１７は、リジェクト部１７２の残留紙幣検知センサ１１１が紙幣を検知している状態では、リジェクト表示ランプ２１３を点灯させる。制御部１７は、リジェクト部１７２の残留紙幣検知センサ１１１が紙幣を検知していない状態では、リジェクト表示ランプ２１３を消灯させる。
【０１１８】
占有表示ランプ２１４，２１４は、スタート／ストップキー１８４，１８４のすぐ後側に設けられたＬＥＤからなる。左側の占有表示ランプ２１４は、左側のスタート／ストップキー１８４が紙幣整理機を占有した状態にある場合に点灯する。右側の占有表示ランプ２１４は、右側のスタート／ストップキー１８４が紙幣整理機を占有した状態にある場合に点灯する。
【０１１９】
次に、紙幣整理機の設定処理について説明する。
・機能設定
機能設定時には、設定操作の内容に応じて必要な情報が、図１０に示す機能表示部２０８に表示されることになる。オペレータは、この表示内容を確認しながら目的とする機能設定を行う。
機能設定時における操作部１５の操作内容および機能表示部２０８の表示内容について説明する。
【０１２０】
まず、オペレータによりメインスイッチ２７がＯＮされると、制御部１７は、機能表示部２０８に、図１０に示す内容を表示させる。
すなわち、制御部１７は、機能表示部２０８の上段の左側に日付を表示させ、上段の右側に時間を表示させる。また、制御部１７は、機能表示部２０８の下段の左側に、その時点でメモリに記憶されているバッチ処理枚数の数値（例えば「１００」）を表示させる。さらに、制御部１７は、機能表示部２０８の下段の中央に、損券判別レベルを表す文字「ＵＦ」とその時点でメモリに記憶されている損券判別レベルの高低（例えば「Ｈ」）とを表示させる。さらに、制御部１７は、機能表示部２０８の下段の右側に、ＵＶ検出レベルを表す文字「ＵＶ」とその時点でメモリに記憶されているＵＶ検出レベルの高低（例えば「Ｈ」）とを表示させる。
【０１２１】
そして、メインスイッチ２７がＯＮされた後、例えば所定時間が経過すると、制御部１７は、紙幣整理機を待機状態とし、機能表示部２０８に、図１２（ａ）に示す内容を表示させる。すなわち、制御部１７は、上段の日付に変えて、オペレータ番号を表す文字「ＯＰ．」と、その時点でメモリに記憶されているオペレータ番号を表す数値（例えば「１２３」）とを表示させる。
【０１２２】
なお、何らか処理が終わって紙幣整理機が待機状態となると、制御部１７は、機能表示部に、初期状態として図１２（ａ）の内容を表示させる。
この待機状態にあるときのみ、後述の分類設定が可能となる。
この待機状態にあるときのみ、装填部１１に装填された紙幣の分類処理が実行可能となる。この場合、スタート／ストップキー１８４が押されると、制御部１７は、その時点で設定された機能設定の内容および分類設定の内容で分類処理を実行する。
【０１２３】
初期状態から、オペレータが、「ＥＮＴ」キー２０５を押圧する。すると、制御部１７は、機能表示部２０８に、図１２（ｂ）に示す内容を表示させる。すなわち、制御部１７は、図１２（ａ）に示す内容のうち、オペレータ番号を表す数値を空欄とする。そして、オペレータが、テンキー１９９を用いてオペレータ番号を入力させる。すると、制御部１７は、前記空欄部分に、テンキー１９９で入力された数値を表示させる。
【０１２４】
テンキー１９９で数値が入力され、「ＥＮＴ」キー２０５が押圧操作されると、制御部１７は、入力されたオペレータ番号の数値をメモリに記憶させる。そして、制御部１７は、機能表示部２０８に、図１２（ｃ）に示す内容を表示させる。すなわち、制御部１７は、バッチ枚数という意味を表す文字「ＢＡＴＣＨ」と、その時点でメモリに記憶されているバッチ枚数の数値（例えば「１００」）とを機能表示部２０８に表示させる。
なお、テンキー１９９で入力した数値が間違っていた場合、「ＣＥ」キー２０４を押すと、入力された数値が消去される。
【０１２５】
機能表示部２０８に、図１２（ｃ）に示す内容を表示させた状態で、オペレータにより「設定」キー２０２が押されると、制御部１７は、機能表示部２０８に、図１２（ｄ）に示す内容を表示させる。すなわち、制御部１７は、図１２（ｃ）に示す内容のうち、バッチ枚数の数値（例えば「１００」）の右に、変更という意味を示す記号「−＞」を表示させ、該記号の右側を空欄とする。そして、オペレータが、テンキー１９９を用いてバッチ枚数の数値を入力させる。すると、制御部１７は、前記空欄部分に、テンキー１９９で入力された数値を表示させる。そして、オペレータにより、テンキー１９９で数値が入力され、「ＥＮＴ」キー２０５が押圧操作される。すると、制御部１７は、メモリに記憶されているバッチ枚数を新たに入力された数値に変更する。それとともに、制御部１７は、機能表示部２０８に、図１２（ｃ）に示す内容を表示させる。ただし、制御部１７は、このときのバッチ枚数の数値として、メモリに新たに記憶された数値を表示させる。
【０１２６】
図１２（ｃ）に示す内容の表示中に、「ＥＮＴ」キー２０５が押されると、制御部１７は、図１２（ｅ）に示す内容を機能表示部２０８に表示させる。すなわち、制御部１７は、損券判別レベルという意味を表す文字「ＵＦ」と、その時点でメモリ記憶されている損券判別レベルの高低を表す文字（例えば「Ｈ」）とを機能表示部２０８の上段の左側に表示させる。また、制御部１７は、Ａ金種を表す数字「１００」と、汚損の判別レベルという意味を表す文字「Ｄ」と、その時点でメモリに記憶されているＡ金種の汚損の判別レベルの数値（例えば「８」）と、損傷の判別レベルという意味を表す文字「Ｔ」と、その時点でメモリに記憶されているＡ金種の損傷の判別レベルの数値（例えば「８」）とを、機能表示部２０８の上段の右側に表示させる。さらに、制御部１７は、Ｂ金種を表す数字「５０」と、汚損の判別レベルという意味を表す文字「Ｄ」と、その時点でメモリに記憶されているＢ金種の汚損の判別レベルの数値（例えば「８」）と、損傷の判別レベルという意味を表す文字「Ｔ」と、その時点でメモリに記憶されているＢ金種の損傷の判別レベルの数値（例えば「８」）とを、機能表示部２０８の下段の左側に表示させる。加えて、制御部１７は、Ｃ金種を表す数字「１０」と、汚損の判別レベルという意味を表す文字「Ｄ」と、その時点でメモリに記憶されているＣ金種の汚損の判別レベルの数値（例えば「８」）と、損傷の判別レベルという意味を表す文字「Ｔ」と、その時点でメモリに記憶されているＣ金種の損傷の判別レベルの数値（例えば「８」）とを、機能表示部２０８の下段の右側に表示させる。ここで、判別レベルは、１〜１０の数値のいずれかである。
【０１２７】
この状態で、オペレータが、損券判別レベルを変更する際には、「設定」キー２０２を押圧する。すると、制御部１７は、機能表示部２０８に、図１２（ｆ）に示す内容を表示させる。すなわち、制御部１７は、図１２（ｅ）に示す内容のうち、Ａ金種の汚損の判別レベルの数値を空欄とする。そして、「設定」キー２０２を押圧する回数に応じて、空欄の位置を移動させる。そして、適宜の位置に空欄を位置させた状態で、オペレータが、テンキー１９９を用いて数値を入力させる。すると、制御部１７は、前記空欄部分に、テンキー１９９で入力された数値を表示させる。テンキー１９９で数値が入力され、「ＥＮＴ」キー２０５が押圧操作される。すると、制御部１７は、メモリに記憶されている判別レベルの数値を新たに入力された数値に変更する。それとともに、制御部１７は、機能表示部２０８に、図１２（ｅ）に示す内容を表示させる。ただし、このとき、判別レベルの数値としてはメモリに新たに記憶された数値が表示される。また、これらの数値から、必要があれば、その時点でメモリ記憶されている判別レベルの高低を表す文字（Ｈ〜Ｌ）を切り替える。
【０１２８】
図１２（ｅ）に示す内容の表示中に、「ＥＮＴ」キー２０５が押されると、制御部１７は、図１２（ｇ）に示す内容を機能表示部２０８に表示させる。すなわち、制御部１７は、ＵＶ検出レベルという意味を表す文字「ＵＶ」と、その時点でメモリ記憶されているＵＶ検出レベルの高低を表す文字（例えば「Ｈ」）とを機能表示部２０８の上段の左側に表示させる。また、制御部１７は、Ａ金種を表す数字「１００」と、その時点でメモリに記憶されているＡ金種のＵＶ検出レベルの数値（例えば「８」）とを機能表示部２０８の上段の右側に表示させる。さらに、制御部１７は、Ｂ金種を表す数字「５０」と、その時点でメモリに記憶されているＢ金種のＵＶ検出レベルの数値（例えば「８」）とを、機能表示部２０８の下段の左側に表示させる。加えて、制御部１７は、Ｃ金種を表す数字「１０」と、その時点でメモリに記憶されているＣ金種のＵＶ検出レベルの数値（例えば「８」）とを、機能表示部２０８の下段の右側に表示させる。ＵＶ検出レベルは、１〜１０の数値のいずれかである。
【０１２９】
この状態で、オペレータが、ＵＶ検出レベルを変更する際には、「設定」キー２０２を押圧する。すると、制御部１７は、機能表示部２０８に、図１２（ｈ）に示す内容を表示させる。すなわち、制御部１７は、図１２（ｇ）に示す内容のうち、Ａ金種のＵＶ検出レベルの数値を空欄とする。そして、「設定」キーを押圧する回数に応じて、空欄の位置を移動させる。そして、適宜の位置に空欄を位置させた状態で、オペレータが、テンキー１９９を用いて数値を入力させる。すると、制御部１７は、前記空欄部分に、テンキー１９９で入力された数値を表示させる。テンキー１９９で数値が入力され、「ＥＮＴ」キー２０５が押圧操作される。すると、制御部１７は、メモリに記憶されているＵＶ検出レベルの数値を新たに入力された数値に変更する。それとともに、制御部１７は、図１２（ｇ）に示す内容を表示させる。ただし、このとき、判別レベルの数値としてはメモリに新たに記憶された数値が表示される。
図１２（ｇ）に示す内容の表示中に、「ＥＮＴ」キー２０５が押されると、制御部１７は、図１２（ａ）に示す内容を機能表示部２０８に表示させる。すなわち、機能設定を終了させる。
【０１３０】
・分類処理モードの設定
分類処理モードの設定は、上記機能設定が行われていない待機状態で行われる。この分類処理モードの設定操作の内容に応じて制御部１７は必要な情報を全体表示部２０９および個別表示部２１０〜２１２に表示させることになる。すなわち、制御部１７は、紙幣処理機全体に関する設定内容に応じた表示を全体表示部２０９に表示させる。また、制御部１７は、第１集積部６９に関する設定内容に応じた表示を第１個別表示部２１０に表示させる。さらに、制御部１７は、第２集積部７０に関する設定内容に応じた設定を第２個別表示部２１１に表示させる。加えて、制御部１７は、第３集積部７１に関する設定内容に応じた表示を第３個別表示部２１２に表示させる。そして、オペレータは、これらの表示内容を確認しながら目的とする設定を行う。なお、制御部１７は、全体表示部２０９および個別表示部２１０〜２１２に、その時点で設定されている内容に応じた表示を常に行わせる。
【０１３１】
この分類処理モードの設定は、「バッチ」キー１８８、「表裏」キー１８９、「正損」キー１９０、「ＵＶ」キー１９１、「１００」キー１９２、「５０」キー１９３、「１０」キー１９４および「設定」キー２０２の操作により行われる。分類設定は、図１３の一覧表に示す複数種類の分類設定の内容の中から、一つが選択される。なお、以下では、「表裏」キー１８９、「正損」キー１９０、「ＵＶ」キー１９１、「１００」キー１９２、「５０」キー１９３および「１０」キー１９４の６つのキーをまとめて設定キー群２４０とする。
【０１３２】
なお、図１３で○印が付いているものは、バッチ処理を組み合わせて行うことができるものである。「バッチ」キー１８８が入力有りの場合、制御部は、以下に述べる設定のうち、バッチ処理を組み合わせ可能なものにおいては、バッチ処理を組み合わせて行う分類処理モードを設定することになる。
以下の設定にバッチ処理が組み合わせられた場合、次のような処理を制御部１７は行うことになる。分類処理中に集積部６９〜集積部７１のいずれかに集積された紙幣の枚数がバッチ枚数に達する。すると、制御部１７は、分類処理を一旦中断させる。そして、バッチ枚数に達した集積紙幣Ｓが取り出されたことが残留紙幣検知センサ１１１で検知されると、分類処理を再開させる。
または、次のような処理を制御部１７は行うことになる。分類処理中に集積部６９〜７１のいずれかに集積された紙幣の枚数がバッチ枚数に達する。すると、この紙幣と同じ紙幣を集積させる他の集積部がある場合には、この集積部にその後の紙幣は集積させる。
【０１３３】
分類処理モードの設定の内容を図１３を参照して以下に説明する。
なお、図１３は、この紙幣整理機が日本国内で使用される場合について示したものである。このため、図１３では、Ａ金種は万券であり、これを表す数値は「１００」となっている。また、Ｂ金種は五千券であり、これを表す数値は「５０」となっている。さらに、Ｃ金種は千券であり、これを表す数値は「１０」となっている。
金種分類処理モードの設定として以下の設定１〜４がある。ここで、金種分類処理モードとは、集積部６９〜７１にそれぞれ異なる金種の紙幣を集積させるものである。
【０１３４】
｛設定１｝  設定１は、第１集積部６９にＡ金種の真券を集積させ、第２集積部７０にＢ金種の真券を集積させ、第３集積部７１にＣ金種の真券を集積させ、リジェクト部７２にこれら以外の紙幣を集積させる分類処理モードの設定である。ここで、リジェクト部７２に集積させられる紙幣は偽券である。設定キー群２４０がいずれも入力なしの状態のときに、制御部１７はこの設定１の分類処理モードを設定することになる。
【０１３５】
この設定１の分類処理モードが設定された状態では、制御部１７は、第１個別表示部２１０においては、金種ランプ群２２４では「１００」ランプ２２９のみを点灯させ、内容ランプ群２２５はすべて消灯させる。またこの状態で制御部１７は、第２個別表示部２１１においては、金種ランプ群２２４では「５０」ランプ２３０のみを点灯させ、内容ランプ群２２５はすべて消灯させる。さらにこの状態で制御部１７は、第３個別表示部２１２においては、金種ランプ群２２４では「１０」ランプ２３１のみを点灯させ、内容ランプ群２２５はすべて消灯させる。
【０１３６】
なお、この設定１の分類処理モードを設定した状態で「バッチ」キー１８８が入力有りの場合、制御部１７は、上記に加えて「バッチ」キー１８８を点灯させる。それとともに、制御部１７は、バッチ処理を設定１に組み合わせて行う分類処理モードを設定することになる。この設定は、バッチ処理を集積部６９〜７１のすべてについて行う設定になる。
【０１３７】
｛設定２｝  設定２は、第１集積部６９にＡ金種の真券かつ表券を集積させ、第２集積部７０にＢ金種の真券かつ表券を集積させ、第３集積部７１にＣ金種の真券かつ表券を集積させ、リジェクト部７２にこれら以外の紙幣を集積させる分類処理モードの設定である。ここで、リジェクト部７２に集積させられる紙幣は、偽券、Ａ金種の裏券、Ｂ金種の裏券およびＣ金種の裏券である。設定キー群２４０のうち、「表裏」キー１８９のみが入力有りの状態のときに、制御部１７はこの設定２の分類処理モードを設定することになる。
【０１３８】
この設定２の分類処理モードが設定された状態では、制御部１７は、第１個別表示部２１０においては、金種ランプ群２２４では「１００」ランプ２２９のみを点灯させ、内容ランプ群２２５では表ランプ２３２のみを点灯させる。またこの状態で制御部１７は、第２個別表示部２１１においては、金種ランプ群２２４では「５０」ランプ２３０のみを点灯させ、内容ランプ群２２５では表ランプ２３２のみを点灯させる。さらにこの状態で制御部１７は、第３個別表示部２１２においては、金種ランプ群２２４では「１０」ランプ２３１のみを点灯させ、内容ランプ群２２５では表ランプ２３２のみを点灯させる。
【０１３９】
なお、この設定２の分類処理モードが設定された状態で「バッチ」キー１８８が入力有りの場合、制御部１７は、「バッチ」キー１８８を点灯させる。それとともに、制御部１７は、バッチ処理を設定２に組み合わせて行う分類処理モードを設定することになる。この設定は、バッチ処理を集積部６９〜７１のすべてについて行う設定になる。
【０１４０】
｛設定３｝  設定３は、第１集積部６９にＡ金種の真券かつ正券を集積させ、第２集積部７０にＢ金種の真券かつ正券を集積させ、第３集積部７１にＣ金種の真券かつ正券を集積させ、リジェクト部７２にこれら以外の紙幣を集積させる分類処理モードの設定である。ここで、リジェクト部７２に集積させられる紙幣は、偽券、Ａ金種の損券、Ｂ金種の損券およびＣ金種の損券である。設定キー群２４０のうち、「正損」キー１９０のみが入力有りの状態のときに、制御部１７はこの設定３の分類処理モードを設定することになる。
【０１４１】
この設定３の分類処理モードが設定された状態では、制御部１７は、第１個別表示部２１０においては、金種ランプ群２２４では「１００」ランプ２２９のみを点灯させ、内容ランプ群２２５では正ランプ２３４のみを点灯させる。またこの状態で制御部１７は、第２個別表示部２１１においては、金種ランプ群２２４では「５０」ランプ２３０のみを点灯させ、内容ランプ群２２５では正ランプ２３４のみを点灯させる。さらにこの状態で制御部１７は、第３個別表示部２１２においては、金種ランプ群２２４では「１０」ランプ２３１のみを点灯させ、内容ランプ群２２５では正ランプ２３４のみを点灯させる。
【０１４２】
なお、この設定３の分類処理モードが設定された状態で「バッチ」キー１８８が入力有りの場合、制御部１７は、「バッチ」キー１８８を点灯させる。それとともに、制御部１７は、バッチ処理を設定３に組み合わせて行う分類処理モードを設定することになる。この設定は、バッチ処理を集積部６９〜７１のすべてについて行う設定になる。
【０１４３】
｛設定４｝  設定４は、第１集積部６９にＡ金種の真券かつ正券かつ表券を集積させ、第２集積部７０にＢ金種の真券かつ正券かつ表券を集積させ、第３集積部７１にＣ金種の真券かつ正券かつ表券を集積させ、リジェクト部７２にこれら以外の紙幣を集積させる分類処理モードの設定である。ここで、リジェクト部７２に集積させられる紙幣は、偽券、Ａ金種の裏券、Ｂ金種の裏券、Ｃ金種の裏券、Ａ金種の損券、Ｂ金種の損券およびＣ金種の損券である。設定キー群２４０のうち、「表裏」キー１８９および「正損」キー１９０のみが入力有りの状態のときに、制御部１７は、この設定４の分類処理モードを設定することになる。
【０１４４】
この設定４の分類処理モードが設定された状態では、制御部１７は、第１個別表示部２１０においては、金種ランプ群２２４では「１００」ランプ２２９のみを点灯させ、内容ランプ群２２５では表ランプ２３２および正ランプ２３４のみを点灯させる。またこの状態で制御部１７は、第２個別表示部２１１においては、金種ランプ群２２４では「５０」ランプ２３０のみを点灯させ、内容ランプ群２２５では表ランプ２３２および正ランプ２３４のみを点灯させる。さらにこの状態で制御部１７は、第３個別表示部２１２においては、金種ランプ群２２４では「１０」ランプ２３１のみを点灯させ、内容ランプ群２２５では表ランプ２３２および正ランプ２３４のみを点灯させる。
【０１４５】
なお、この設定４の分類処理モードが設定された状態で「バッチ」キー１８８が入力有りの場合、制御部１７は、「バッチ」キー１８８を点灯させる。それとともに、制御部１７は、バッチ処理を設定４に組み合わせて行う分類処理モードを設定することになる。この設定は、バッチ処理を集積部６９〜７１のすべてについて行う設定になる。
【０１４６】
指定金種分類の設定として以下の設定５〜２２がある。指定金種分類とは、特定の一金種のみを目的別に分類するものである。指定金種分類には、Ａ金種用の設定５〜１０と、Ｂ金種用の設定１１〜１６と、Ｃ金種用の設定１７〜２２とがある。
【０１４７】
｛設定５｝  設定５は、第１集積部６９、第２集積部７０および第３集積部７１の順に、Ａ金種の真券を集積させ、リジェクト部７２にこれ以外の紙幣を集積させる分類処理モードの設定である。ここで、リジェクト部７２に集積させられる紙幣は、偽券およびＡ金種以外の紙幣である。設定キー群２４０のうち、「１００」キー１９２のみが入力有りの状態のときに、制御部１７はこの設定５の分類処理モードを設定することになる。
【０１４８】
この設定５の分類処理モードが設定された状態では、制御部１７は、個別表示部２１０〜２１２のすべてにおいて、金種ランプ群２２４では「１００」ランプ２２９のみを点灯させ、内容ランプ群２２５はすべて消灯させる。
【０１４９】
なお、この設定５の分類処理モードが設定された状態で「バッチ」キー１８８が入力有りの場合、制御部１７は、「バッチ」キー１８８を点灯させる。それとともに、制御部１７は、バッチ処理を設定５に組み合わせて行う分類処理モードを設定することになる。この設定は、バッチ処理を集積部６９〜７１のすべてについて行う設定になる。
【０１５０】
｛設定６｝  設定６は、第１集積部６９にＡ金種の真券かつ表券を集積させ、第２集積部７０にＡ金種の真券かつ表券を集積させ、第３集積部７１にＡ金種の真券かつ裏券を集積させ、リジェクト部７２にこれら以外の紙幣を集積させる分類処理モードの設定である。ここで、リジェクト部７２に集積させられる紙幣は、偽券およびＡ金種以外の紙幣である。設定キー群２４０のうち、「１００」キー１９２および「表裏」キー１８９のみが入力有りの状態のときに、制御部１７は、この設定６の分類処理モードを設定することになる。
【０１５１】
この設定６の分類処理モードが設定された状態では、制御部１７は、第１個別表示部２１０においては、金種ランプ群２２４では「１００」ランプ２２９のみを点灯させ、内容ランプ群２２５では表ランプ２３２のみを点灯させる。またこの状態で制御部１７は、第２個別表示部２１１においては、金種ランプ群２２４では「１００」ランプ２２９のみを点灯させ、内容ランプ群２２５では表ランプ２３２のみを点灯させる。さらにこの状態で制御部１７は、第３個別表示部２１２においては、金種ランプ群２２４では「１００」ランプ２２９のみを点灯させ、内容ランプ群２２５では裏ランプ２３３のみを点灯させる。
【０１５２】
なお、この設定６の分類処理モードが設定された状態で「バッチ」キー１８８が入力有りの場合、制御部１７は、「バッチ」キー１８８を点灯させる。それとともに、制御部１７は、バッチ処理を設定６に組み合わせて行う分類処理モードを設定することになる。この設定は、バッチ処理を集積部６９〜７１のすべてについて行う設定になる。
【０１５３】
｛設定７｝  設定７は、第１集積部６９にＡ金種の真券かつ正券を集積させ、第２集積部７０にＡ金種の真券かつ正券を集積させ、第３集積部７１にＡ金種の真券かつ損券を集積させ、リジェクト部７２にこれら以外の紙幣を集積させる分類処理モードの設定である。ここで、リジェクト部７２に集積させられる紙幣は、偽券およびＡ金種以外の紙幣である。設定キー群２４０のうち、「１００」キー１９２および「正損」キー１９０のみが入力有りの状態のときに、制御部１７は、この設定７の分類処理モードを設定することになる。
【０１５４】
この設定７の分類処理モードが設定された状態では、制御部１７は、第１個別表示部２１０においては、金種ランプ群２２４では「１００」ランプ２２９のみを点灯させ、内容ランプ群２２５では正ランプ２３４のみを点灯させる。またこの状態で制御部１７は、第２個別表示部２１１においては、金種ランプ群２２４では「１００」ランプ２２９のみを点灯させ、内容ランプ群２２５では正ランプ２３４のみを点灯させる。さらにこの状態で制御部１７は、第３個別表示部２１２においては、金種ランプ群２２４では「１００」ランプ２２９のみを点灯させ、内容ランプ群２２５では損ランプ２３５のみを点灯させる。
【０１５５】
なお、この設定７の分類処理モードが設定された状態で「バッチ」キー１８８が入力有りの場合、制御部１７は、「バッチ」キー１８８を点灯させる。それとともに、制御部１７は、バッチ処理を設定７に組み合わせて行う分類処理モードを設定することになる。この設定は、バッチ処理を集積部６９，７０のみについて行う設定になる。
【０１５６】
｛設定８｝  設定８は、第１集積部６９にＡ金種の真券かつ表券かつ正券を集積させ、第２集積部７０にＡ金種の真券かつ裏券かつ正券を集積させ、第３集積部７１にＡ金種の真券かつ損券を集積させ、リジェクト部７２にこれら以外の紙幣を集積させる分類処理モードの設定である。ここで、リジェクト部７２に集積させられる紙幣は、偽券およびＡ金種以外の紙幣である。設定キー群２４０のうち、「１００」キー１９２、「表裏」キー１８９および「正損」キー１９０のみが入力有りの状態のときに、制御部１７は、この設定８の分類処理モードを設定することになる。
【０１５７】
この設定８の分類処理モードが設定された状態では、制御部１７は、第１個別表示部２１０においては、金種ランプ群２２４では「１００」ランプ２２９のみを点灯させ、内容ランプ群２２５では表ランプ２３２および正ランプ２３４のみを点灯させる。またこの状態で制御部１７は、第２個別表示部２１１においては、金種ランプ群２２４では「１００」ランプ２２９のみを点灯させ、内容ランプ群２２５では裏ランプ２３３および正ランプ２３４のみを点灯させる。さらにこの状態で制御部１７は、第３個別表示部２１２においては、金種ランプ群２２４では「１００」ランプ２２９のみを点灯させ、内容ランプ群２２５では損ランプ２３５のみを点灯させる。
【０１５８】
なお、この設定８の分類処理モードが設定された状態で「バッチ」キー１８８が入力有りの場合、制御部は、「バッチ」キー１８８を点灯させる。それとともに、制御部１７は、バッチ処理を設定８に組み合わせて行う分類処理モードを設定することになる。この設定は、バッチ処理を集積部６９，７０のみについて行う設定になる。
【０１５９】
｛設定９｝  設定９は、第１集積部６９にＡ金種の真券かつ表券かつ上向券を集積させ、第２集積部６９にＡ金種の真券かつ表券かつ下向券を集積させ、第３集積部７０にＡ金種の真券かつ裏券を集積させ、リジェクト部７１にこれら以外の紙幣を集積させる分類処理モードの設定である。ここで、リジェクト部７２に集積させられる紙幣は、偽券およびＡ金種以外の紙幣である。設定キー群２４０のうち、「１００」キー１９２、「表裏」キー１８９および「ＵＶ」キー１９１のみが入力有りの状態のときに、制御部１７は、この設定９の分類処理モードを設定することになる。
【０１６０】
この設定９の分類処理モードが設定された状態では、制御部１７は、第１個別表示部２１０においては、金種ランプ群２２４では「１００」ランプ２２９のみを点灯させ、内容ランプ群２２５では表ランプ２３２のみを点灯させる。またこの状態で制御部１７は、第２個別表示部２１１においては、金種ランプ群２２４では「１００」ランプ２２９のみを点灯させ、内容ランプ群２２５では表ランプ２３２のみを点灯させる。さらにこの状態で制御部１７は、第３個別表示部２１２においては、金種ランプ群２２４では「１００」ランプ２２９のみを点灯させ、内容ランプ群２２５では裏ランプ２３３のみを点灯させる。
【０１６１】
なお、この設定９の分類処理モードが設定された状態で「バッチ」キー１８８が入力有りの場合、制御部１７は、「バッチ」キー１８８を点灯させる。それとともに、制御部１７は、バッチ処理を設定９に組み合わせて行う分類処理モードを設定することになる。この設定は、バッチ処理を集積部６９，７０のみについて行う設定になる。
【０１６２】
｛設定１０｝  設定１０は、第１集積部６９にＡ金種の真券かつ正券を集積させ、第２集積部７０にＡ金種の真券かつ損券を集積させ、第３集積部７１に偽券を集積させ、リジェクト部７２にこれら以外の紙幣を集積させる分類処理モードの設定である。ここで、リジェクト部７２に集積させられる紙幣は、Ａ金種以外の紙幣である。設定キー群２４０のうち、「１００」キー１９２、「正損」キー１９０および「ＵＶ」キー１９１のみが入力有りの状態のときに、制御部１７は、この設定１０の分類処理モードを設定することになる。
【０１６３】
この設定１０の分類処理モードが設定された状態では、制御部１７は、第１個別表示部２１０においては、金種ランプ群２２４では「１００」ランプ２２９のみを点灯させ、内容ランプ群２２５では正ランプ２３４のみを点灯させる。またこの状態で制御部１７は、第２個別表示部２１１においては、金種ランプ群２２４では「１００」ランプ２２９のみを点灯させ、内容ランプ群２２５では損ランプ２３５のみを点灯させる。さらにこの状態で制御部１７は、第３個別表示部２１２においては、金種ランプ群２２４では「１００」ランプ２２９のみを点灯させ、内容ランプ群２２５はすべて消灯させる。
【０１６４】
なお、この設定１０の分類処理モードが設定された状態で「バッチ」キー１８８が入力有りの場合、制御部１７は、「バッチ」キー１８８を点灯させる。それとともに、制御部１７は、バッチ処理を設定１０に組み合わせて行う分類処理モードを設定することになる。この設定は、バッチ処理を集積部６９のみについて行う設定になる。
【０１６５】
｛設定１１｝  設定１１は、設定５のＡ金種をＢ金種に、設定５の「１００」キー１９２を「５０」キー１９３に、設定５の「１００」ランプ２２９を「５０」ランプ２３０に、それぞれ代えたものである。
｛設定１２｝  設定１２は、設定６のＡ金種をＢ金種に、設定６の「１００」キー１９２を「５０」キー１９３に、設定６の「１００」ランプ２２９を「５０」ランプ２３０に、それぞれ代えたものである。
｛設定１３｝  設定１３は、設定７のＡ金種をＢ金種に、設定７の「１００」キー１９２を「５０」キー１９３に、設定７の「１００」ランプ２２９を「５０」ランプ２３０に、それぞれ代えたものである。
【０１６６】
｛設定１４｝  設定１４は、設定８のＡ金種をＢ金種に、設定８の「１００」キー１９２を「５０」キー１９３に、設定８の「１００」ランプ２２９を「５０」ランプ２３０に、それぞれ代えたものである。
｛設定１５｝  設定１５は、設定９のＡ金種をＢ金種に、設定９の「１００」キー１９２を「５０」キー１９３に、設定９の「１００」ランプ２２９を「５０」ランプ２３０に、それぞれ代えたものである。
｛設定１６｝  設定１６は、設定１０のＡ金種をＢ金種に、設定１０の「１００」キー１９２を「５０」キー１９３に、設定１０の「１００」ランプ２２９を「５０」ランプ２３０に、それぞれ代えたものである。
【０１６７】
｛設定１７｝  設定１７は、設定５のＡ金種をＣ金種に、設定５の「１００」キー１９２を「１０」キー１９４に、設定５の「１００」ランプ２２９を「１０」ランプ２３１に、それぞれ代えたものである。
｛設定１８｝  設定１８は、設定６のＡ金種をＣ金種に、設定６の「１００」キー１９２を「１０」キー１９４に、設定６の「１００」ランプ２２９を「１０」ランプ２３１に、それぞれ代えたものである。
｛設定１９｝  設定１９は、設定７のＡ金種をＣ金種に、設定７の「１００」キー１９２を「１０」キー１９４に、設定７の「１００」ランプ２２９を「１０」ランプ２３１に、それぞれ代えたものである。
【０１６８】
｛設定２０｝  設定２０は、設定８のＡ金種をＣ金種に、設定８の「１００」キー１９２を「１０」キー１９４に、設定８の「１００」ランプ２２９を「１０」ランプ２３１に、それぞれ代えたものである。
｛設定２１｝  設定２１は、設定９のＡ金種をＣ金種に、設定９の「１００」キー１９２を「１０」キー１９４に、設定９の「１００」ランプ２２９を「１０」ランプ２３１に、それぞれ代えたものである。
｛設定２２｝  設定２２は、設定１０のＡ金種をＣ金種に、設定１０の「１００」キー１９２を「１０」キー１９４に、設定１０の「１００」ランプ２２９を「１０」ランプ２３１に、それぞれ代えたものである。
【０１６９】
さらに、上記とは異なる真偽分類処理として以下の設定２３がある。この真偽分類処理は、単に紙幣を真券と偽券とに分類し真券のみを計数する処理である。｛設定２３｝  設定２３は、集積部６９〜集積部７１に順次真券を集積させ、リジェクト部７２に偽券を集積させる分類処理モードの設定である。設定キー群２４０のうち、「ＵＶ」キー１９１のみが入力有りの状態のときに、制御部１７はこの設定２３の分類処理モードを設定することになる。
【０１７０】
この設定２３の分類処理モードが設定された状態では、制御部１７は、すべての個別表示部２１０〜２１２において、金種ランプ群２２４および内容ランプ群２２５はすべて消灯させる。
なお、この設定２３にバッチ処理を組み合わせて行う分類処理モードの設定はない。
【０１７１】
設定１〜２３のいずれにおいても、「枚額」キー２００が入力有りの場合、制御部１７は、個別表示部２１０〜２１２の枚額ランプ群２２６ではそれぞれ「枚数」ランプ２３７のみを点灯させる。このとき、上記した指定金種分類の設定５〜２３のいずれかが選択されると全体枚数を表示させることに意味があるので、制御部１７は、全体表示部２０９の全体枚額ランプ群２２２では「枚数」ランプ２１９のみを点灯させる。またこのとき、上記した金種分類の設定１〜４のいずれかが選択されると全体枚数を表示させることにあまり意味がなくなるので、制御部１７は、全体表示部２０９の全体枚額ランプ群２２２では「金額」ランプ２２０のみを自動的に点灯させる。
【０１７２】
設定１〜２３のいずれにおいても、「枚額」キー２００が入力なしの場合、制御部１７は、個別表示部２１０〜２１２の枚額ランプ群２２６では、それぞれ「金額」ランプ２３７のみを点灯させる。またこのとき制御部１７は、全体表示部２０９の全体枚額ランプ群２２２では、「金額」ランプ２２０のみを点灯させる。
よって、全体表示部２０９は、枚数および金額のいずれが選択されているかを表示可能となる。
【０１７３】
設定１〜２３のいずれにおいても、制御部１７は、「合計」キー２０１が入力有りの場合、全体表示部２０９の「合計」ランプ２１８を点灯させる。制御部１７は、「合計」キー２０１が入力なしの場合、全体表示部２０９の「合計」ランプ２１８を消灯させる。
【０１７４】
以上により、操作部１５に、複数の分類処理モードの中から一つの分類処理モードを選択する操作がなされる。すると、制御部１７は、該選択された分類処理モードに応じて、第１集積部６９に分類される紙幣の内容を第１個別表示部２１０に、第２集積部７０に分類される紙幣の内容を第２個別表示部２１１に、第３集積部７１に分類される紙幣の内容を第３個別表示部２１２に、それぞれ対応させて表示させることになる。
【０１７５】
次に、上記紙幣整理機の作動について説明する。
まず、操作部１５で上記した分類処理モードのなかのいずれかが設定され、しかもこの分類処理モードにバッチ処理が組み合わせられない場合を説明する。なお、制御部１７は、上述したように、設定された分類処理モードに応じた表示を個別表示部２１０〜２１２および全体表示部２０９に行わせる。
【０１７６】
スタート／ストップキー１８４が押されると、制御部１７は、今回の一の分類処理を実行させる。まず、制御部１７は、押された側のスタート／ストップキー１８４の占有状態にあることを記憶するとともに、このスタート／ストップキー１８４に対応する占有表示ランプ２１４を点灯させる。それとともに、制御部１７は、装填部１１の紙幣検知センサ４４で紙幣が検出されたことを条件に、まず、集積部６９〜７１のすべてのクラッチ１２３をＯＮする。これにより、集積部６９〜７１の閉状態にあったすべてのシャッタ１１８は、閉状態で固定され、オペレータの手による開作動が禁止される。この状態で、制御部１７は、選択された分類処理を実行させる。
【０１７７】
まず、制御部１７は、搬送駆動モータ４０による装填部１１および搬送部１２の駆動を開始させる。その結果、装填部１１から紙幣が一枚ずつ繰り出される。そして、制御部１７は、装填部１１から繰り出された紙幣を、鑑別部１３の第１鑑別部６６および第２鑑別部６７において鑑別し計数する。それとともに、制御部１７は、装填部１１から繰り出された紙幣を、振分部材５８〜６０を制御することで、集積部６９〜７１およびリジェクト部７２のうちの一つに搬送させることになる。ここで、制御部１７は、紙幣を、鑑別部１３の鑑別結果に基づいて、分類処理モードで設定された場所へ搬送させることになる。なお、リジェクト部７２に紙幣が搬送されることにより、該リジェクト部７２に設けられた残留紙幣検知センサ１１１が紙幣を検出した状態においてのみ、制御部１７は、リジェクト表示ランプ２１３を点灯させることになる。
【０１７８】
集積部６９〜７１において、ガイド板１４５，１４５の上に紙幣が載せられていない状態では、ガイド板１４５，１４５は、バネ材１４８に付勢力によって、図４に示すように、その下端部を、前板部８２の下端部より上側かつ後側に位置させている。その結果、ガイド板１４５，１４５は、集積空間部１０９の容積を最も小さくしている。この状態で、払出機構部７５が、紙幣を集積空間部１０９に繰り出させた後、羽根車１０２によって前板部８２の方向に叩き落す。すると、紙幣はガイド板１４５，１４５の上に載置される。
【０１７９】
このようにして順次紙幣がガイド板１４５，１４５の上に載せられると、集積紙幣Ｓの重量によって、ガイド板１４５，１４５が屈曲部１５２を中心に回転する。そして、集積紙幣Ｓの重量が大きくなればなるほど、ガイド板１４５，１４５は、集積空間部１０９の容積を大きくする。
【０１８０】
最終的に、制御部１７が、紙幣検知センサ４４，６４の検出結果から、装填部１１に装填された紙幣がすべて集積部６９〜７１およびリジェクト部７２に入れられたことを検出する。すると、制御部１７は、集積部６９〜７１からの紙幣の取り出しを許容する状態となったと判定する。この状態で、オペレータによるシャッタ１１８を開くための操作である占有側のスタート／ストップキー１８４の押圧操作がある。すると、制御部１７は、集積部６９〜７１のすべてのシャッタ駆動モータ１３１をシャッタ１１８を開く方向に駆動する。そして、制御部１７は、シャッタ開位置センサ１４２で検知片１２１が検出されるまでシャッタ駆動モータ１３１を駆動する。その結果、制御部１７はすべてのシャッタ１１８を開状態とする。
【０１８１】
図８に示すように、集積部６９〜７１のすべてのシャッタ１１８の開作動で、集積部６９〜７１のすべての押圧部材１５４は回転する。その結果、すべての押圧部材１５４は、前板部８２とのなす角度が最も大きくなる。すると、集積部６９〜７１のすべての集積紙幣Ｓは、上部を上側かつ後側に移動させるように姿勢が変わる。このようにして、すべて集積紙幣Ｓのオペレータによる取出口１１０を介しての取り出しが可能となる。
【０１８２】
そして、集積部６９〜７１において、集積紙幣Ｓが取り出されたことが残留紙幣検知センサ１１１で検出される。するとこれについて、制御部１７は、シャッタ駆動モータ１３１を逆方向に駆動する。そして、制御部１７は、シャッタ閉位置センサ１４１で検知片１２１が検出されるまでシャッタ駆動モータ１３１を駆動する。このようにして、制御部１７はすべてのシャッタ１１８を閉じる。
そして、すべてのシャッタ１１８が閉じられると、制御部１７は、今回の一の分類処理を終了させる。それとともに、制御部１７は、占有側のスタート／ストップキー１８４に対応する占有表示ランプ２１４を消灯させる。
ここで、一の分類処理として装填部１１への集積紙幣の装填を複数回に分けて行う場合もあり、また一の分類処理として装填部１１への集積紙幣の装填を一回のみ行う場合もある。いずれにおいても、前の分類処理で装填部１１に装填された紙幣がすべて集積部６９〜７１およびリジェクト部７２に入れられ、かつ集積部６９〜７１から集積紙幣がすべて取り出され、かつすべてのシャッタ１１８が閉じられた条件下において、始めてスタート／ストップキー１８４が押されてから、装填部１１に装填された紙幣がすべて集積部６９〜７１およびリジェクト部７２に入れられ、かつ集積部６９〜７１から集積紙幣がすべて取り出され、かつすべてのシャッタ１１８が閉じられるまでの間が一の分類処理となる。
【０１８３】
なお、装填部１１に装填されたすべての紙幣が、集積部６９〜７１およびリジェクト部７２に入れられたことを検出するまでは、制御部１７は、集積部６９〜７１からの紙幣の取り出しを禁止する状態にあると判断する。その結果、制御部１７は、集積部６９〜７１のすべてのシャッタ駆動モータ１３１によりすべてのシャッタ１１８を閉状態とする。
【０１８４】
しかも、シャッタ駆動モータ１３１によりシャッタ１１８を閉状態とした状態では、クラッチ１２３でギア１２４と回転軸１２０とを固定している。これにより、シャッタ１１８は、閉状態においては、オペレータの手によっては開不可に固定されることになる。
【０１８５】
なお、装填部１１に装填されたすべての紙幣が集積部６９〜７１およびリジェクト部７２に入れられたことを確認する前の時点で、集積部６９〜７１およびリジェクト部７２のいずれかにおいて、フル検知センサ１１４で紙幣の満杯が検出されることがある。すると、制御部１７は、搬送駆動モータ４０を停止させ、装填部１１および搬送部１２の駆動を一旦停止させる（この状態を処理中断状態と称す）。それとともに、制御部１７は、集積部６９〜７１およびリジェクト部７２のうち、フル検知センサ１１４で紙幣の満杯が検出されたものについて、紙幣の取り出しを許容し、シャッタ駆動モータ１１８によりシャッタ１１８を開状態とする。加えてこのとき、制御部１７は、全体表示部２０９の「異常」ランプ２１７を点灯させる。さらにこのとき、制御部１７は、全体表示部２０９のガイダンス表示部２１６のうち、フル検知センサ１１４で紙幣の満杯が検出された箇所のＬＥＤ２２３を点灯させる。
【０１８６】
そして、集積部６９〜７１およびリジェクト部７２のうち、フル検知センサ１１４で紙幣の満杯が検出されていたものについて、フル検知センサ１１４で紙幣の満杯が検出されなくなる。すると、制御部１７は、オペレータにより紙幣が取り除かれたと判断する。その結果、制御部１７は、これについて、シャッタ駆動モータ１３１によりシャッタ１１８を閉状態とする。加えてこのとき、制御部１７は、全体表示部２０９の「異常」ランプ２１７およびガイダンス表示部２１６の対応するＬＥＤ２２３を消灯させる。その後、占有側のスタート／ストップキー１８４が押されたことを条件に、制御部１７は、搬送駆動モータ４０による装填部１１および搬送部１２の駆動を再開させる。
【０１８７】
なお、装填部１１に装填された紙幣がすべて集積部６９〜７１およびリジェクト部７２に入れられたことを検出すると、制御部１７は、占有側のスタート／ストップキー１８４の押圧操作とは無関係に、自動的に、集積部６９〜７１のすべてのシャッタ１１８を開状態としてもよい。
また、一の分類処理の実行中に、占有状態にあるスタート／ストップキー１８４が押された場合も、制御部１７は、搬送駆動モータ４０を停止させ、装填部１１および搬送部１２の駆動を一旦停止させる（この状態も処理中断状態と称す）。その後、占有側のスタート／ストップキー１８４が押されたことを条件に、制御部１７は、搬送駆動モータ４０による装填部１１および搬送部１２の駆動を再開させる。
【０１８８】
次に、操作部１５で上記した分類処理モードのなかのいずれかが選択され、しかもこの分類処理モードにバッチ処理が組み合わせられる場合について説明する。なお、ここでは、バッチ処理を組み合わせない上述の内容との相違部分を中心に説明する。
【０１８９】
制御部１７が、装填部１１から紙幣を一枚ずつ繰り出させる。そして、制御部１７は、装填部１１から繰り出された紙幣を、鑑別部１３で鑑別し計数する。それとともに、制御部１７は、装填部１１から繰り出された紙幣を、鑑別部１３の鑑別結果に基づき、分類処理モードで設定された集積部６９〜７１およびリジェクト部７２のうちの一つに搬送させることになる。
【０１９０】
そして、集積部６９〜７１のいずれかにおいて、集積紙幣がバッチ枚数に達すると、制御部１７は、搬送駆動モータ４０を停止させ、装填部１１および搬送部１２の駆動を一旦停止させる（この状態も上記した処理中断状態に含まれる）。それとともに、制御部１７は、集積部６９〜７１およびリジェクト部７２のうち、集積紙幣がバッチ枚数となったことが検出されたものについて、紙幣の取り出しが許容された状態と判断し、シャッタ駆動モータ１３１によりシャッタ１１８を開状態とする。加えてこのとき、制御部１７は、全体表示部２０９のガイダンス表示部２１６のバッチ枚数となった箇所のＬＥＤ２２３を点灯させる。
【０１９１】
そして、集積部６９〜７１のうち、集積紙幣がバッチ枚数に達したものについて、残留紙幣検知センサ１１１で紙幣が検出されなくなると、制御部１７は、オペレータにより紙幣が取り除かれたと判断する。その結果、制御部１７は、シャッタ駆動モータ１３１によりシャッタ１１８を閉状態とする。その後、制御部１７は、占有側のスタート／ストップキー１８４が押されたことを条件に、装填部１１および搬送部１２の駆動を再開させる。
【０１９２】
以下に、制御部１７で制御される表示部１６の主に数値の表示について説明する。
「枚額」キー２００の操作で枚数表示が選択され、「合計」キー２０１で小計表示が選択された場合、制御部１７は、一の分類処理を終了するまでの間（表示期間と称す）に、以下の表示制御を行う。
【０１９３】
制御部１７は、設定１〜２２のモードで一の分類処理を行う場合、第１個別表示部２１０のデジタル表示部２２７に、その時点において第１集積部６９に集積されている紙幣の枚数となる小計値を表示させる。またこのとき、制御部１７は、第２個別表示部２１１のデジタル表示部２２７に、その時点において第２集積部７０に集積されている紙幣の枚数となる小計値を表示させる。さらにこのとき制御部１７は、第３個別表示部２１２のデジタル表示部２２７に、その時点において第３集積部７１に集積されている紙幣の枚数となる小計値を表示させる。
【０１９４】
このとき、上記する指定金種分類が設定５〜２２のいずれかの処理である場合、制御部１７は、全体表示部２０９のデジタル表示部２２１に、その時点において全集積部６９〜７１に集積されている紙幣の累計集積枚数となる小計値を表示させる。
【０１９５】
他方、上記した金種分類の設定１〜４，２３のいずれかの処理である場合、制御部１７は、全体表示部２０９のデジタル表示部２２１に、集積する金種が異なる全集積部６９〜７１の累計集積枚数となる小計値を表示しても意味がない。したがって、この場合、制御部１７は、全体表示部２０９のデジタル表示部２２１に、枚数表示の選択とは関係なく、その時点における全集積部６９〜７１に集積されている紙幣の全金額の小計値のみを表示させる。
【０１９６】
ここで、バッチ処理を有効とした設定で一の分類処理が行われる場合、該一の分類処理中に集積部６９〜７１のいずれかでバッチ枚数に達した紙幣の抜き取りが行われることがある。この場合、その紙幣を抜き取った後の集積部に応じた小計値は「０」であり、さらに、その時点における全体表示部２０９の小計値もこの抜き取られた紙幣の枚数を減算した値となる。このように一の分類処理中に紙幣の抜き取りが行われると、小計値だけでは該一の分類処理で行った全体の処理結果が解らない。このため、制御部１７は、該一の分類処理において各集積部６９〜７１に送り込まれた紙幣の集積枚数の合計値を集積部６９〜７１別にメモリに記憶している。そして、「合計」キー２０１の表示切り替え操作によって合計表示が選択されると、この記憶されたデータから該一の分類処理における各集積部６９〜７１毎の合計値を、第１個別表示部２１０〜２１２に対応させて表示させ、これらの合計値を全て加算した合計値を全体表示部２０９に表示させるようになっている。
【０１９７】
「枚額」キー２００で枚数表示の選択操作がなされ、「合計」キー２０１で合計表示の選択操作がなされた場合、制御部１７は、表示期間に、以下の表示制御を行う。これは設定１〜２２のいずれのモードの分類処理を実行する場合においても同様である。
【０１９８】
制御部１７は、第１個別表示部２１０のデジタル表示部２２７に、現在実行中の一の分類処理においてそれまでに第１集積部６９に送り込まれた紙幣の枚数の合計値を表示させる。また制御部１７は、第２個別表示部２１１のデジタル表示部２２７に、該一の分類処理においてそれまでに第２集積部７０に送り込まれた紙幣の枚数の合計値を表示させる。さらに制御部１７は、第３個別表示部２１２のデジタル表示部２２７に、該一の分類処理においてそれまでに第３集積部７１に送り込まれた紙幣の枚数の合計値を表示させる。
【０１９９】
このとき、設定５〜２２のいずれかのモードによって一の分類処理を実行している場合、制御部１７は、表示期間に、全体表示部２０９のデジタル表示部２２１に、該一の分類処理における集積部６９〜７１の全集積枚数の合計値を表示させる。
【０２００】
また、設定１〜４，２３のいずれかのモードによって一の分類処理を実行している場合、全体表示部２０９のデジタル表示部２２１に、集積する金種が異なる全集積部６９〜７１の累計枚数を全体の合計値として表示しても意味がない。したがって、この場合、制御部１７は、「枚額」キー２００の切り替え操作とは無関係に、該一の分類処理における全集積部６９〜７１の金額を累計した合計値を表示させる。
【０２０１】
図１６（ａ）に、設定８の分類処理モードによる一の分類処理で「枚額」キー２００によって枚数表示が選択された場合の第１個別表示部２１０、第２個別表示部２１１および第３個別表示部２１２の各デジタル表示部２２７および全体表示部２０９のデジタル表示部２２１への表示例を示す。このように、これらはすべて集積枚数が表示される。
【０２０２】
「枚額」キー２００で金額表示の選択操作がなされ、「合計」キー２０１で小計表示の選択操作がなされた場合、制御部１７は、表示期間について以下の表示制御を行う。これは設定１〜２３のいずれのモードによって一の分類処理を実行する場合においても同様である。
【０２０３】
制御部１７は、第１個別表示部２１０のデジタル表示部２２７に、その時点において第１集積部６９に集積されている集積紙幣の金額となる小計値を表示させる。また制御部１７は、第２個別表示部２１１のデジタル表示部２２７に、その時点において第２集積部７０に集積されている集積紙幣の全金額となる小計値を表示させる。さらに制御部１７は、第３個別表示部２１２のデジタル表示部２２７に、その時点において第３集積部７１に集積されている集積紙幣の全金額となる小計値を表示させる。加えて制御部１７は、全体表示部２０９のデジタル表示部２２１に、その時点において集積部６９〜７１に集積されている全集積紙幣の金額となる小計値を表示させる。
【０２０４】
「枚額」キー２００で金額表示の選択操作がなされ、「合計」キー２０１で合計表示の選択操作がなされた場合、制御部１７は、表示期間に、一の分類処理に関して以下の表示を行う。これは設定１〜２３のいずれのモードによって一の分類処理を実行する場合においても同様である。
【０２０５】
制御部１７は、第１個別表示部２１０のデジタル表示部２２７に、一の分類処理において第１集積部６９に送り込まれた集積紙幣の金額を累計した合計値を表示させる。また制御部１７は、第２個別表示部２１１のデジタル表示部２２７に、該一の分類処理において第２集積部７０に送り込まれた集積紙幣の金額を累計した合計値を表示させる。さらに制御部１７は、第３個別表示部２１２のデジタル表示部２２７に、該一の分類処理において第３集積部７１に送り込まれた集積紙幣の金額を累計した合計値を表示させることになる。加えて制御部１７は、全体表示部２０９のデジタル表示部２２１に、該一の分類処理において全集積部６９〜集積部７１に送り込まれた集積紙幣の金額を累計した合計値を表示させることになる。
【０２０６】
図１６（ｂ）に、設定８の分類処理モードによる一の分類処理において「枚額」キー２００によって金額表示が選択された場合の第１個別表示部２１０、第２個別表示部２１１および第３個別表示部２１２の各デジタル表示部２２７および全体表示部２０９のデジタル表示部２２１への表示例を示す。このように、これらはすべて金額が表示される。
【０２０７】
なお、バッチ処理が組み合わせられた分類処理の表示期間において、「バッチ」キー１８８に入力が行われると、制御部１７は、集積部６９〜７１のうちバッチ処理が実行されている個別表示部２１０〜２１２に応じたデジタル表示部２２７に、その時点におけるバッチ枚数に対する不足枚数を表示させることができる。
【０２０８】
なお、設定１〜２２のいずれのモードにおいても、このバッチ枚数に対する不足分を表示させる前は、いずれの表示状態にあっても良く、また、その表示内容が切り替わるのは第１個別表示部２１０、第２個別表示部２１１および第３個別表示部２１２のみである。
【０２０９】
図１６（ｃ）に、バッチ処理と組み合わせた設定１のモードで一の分類処理を実行した場合の第１個別表示部２１０、第２個別表示部２１１および第３個別表示部２１２の各デジタル表示部２２７および全体表示部２０９のデジタル表示部２２１への表示例を示す。この表示例は、「バッチ」キー１８８の入力が行われない場合であり、上述と同様に集積枚数が表示される。
【０２１０】
図１６（ｄ）に、バッチ処理と組み合わせた設定１のモードで一の分類処理を実行した場合の第１個別表示部２１０、第２個別表示部２１１および第３個別表示部２１２の各デジタル表示部２２７および全体表示部２０９のデジタル表示部２２１への表示例を示す。この表示例は、「バッチ」キー１８８の入力が行われた場合であり、個別表示部２１０〜２１２には、すべてバッチ枚数に対する不足枚数が表示される。
【０２１１】
また、上記した処理中断状態において、「正損」キー１９０が入力有りとなると、制御部１７は、機能表示部２０８に、以下に示すような損券内容を表示させる（図１７参照）。これは設定１〜設定２３のいずれのモードの分類処理を実行する場合においても同様である。
【０２１２】
制御部１７は、損券枚数という意味を表す文字「ＵＦ」と、損券枚数の数値（例えば「３０」）とを隣り合わせて機能表示部２０８に表示させる。また制御部１７は、損券のうちの汚損紙幣という意味を表す文字「Ｄ」と、汚損紙幣の枚数の数値（例えば「２０」）とを隣り合わせて機能表示部２０８に表示させる。さらに制御部１７は、損券のうちの損傷紙幣という意味を表す文字「Ｔ」と、損傷紙幣の枚数の数値（例えば「１０」）とを隣り合わせて機能表示部２０８に表示させる。加えて制御部１７は、テープが貼られた紙幣という意味を表す文字「ｔ」と、テープが貼られた紙幣の枚数の数値（例えば「２」）とを隣り合わせて機能表示部２０８に表示させる。さらに制御部１７は、破れまたは折れがあった紙幣という意味を表す文字「ｄ」と、破れまたは折れがあった紙幣の枚数の数値（例えば「８」）とを隣り合わせて機能表示部２０８に表示させることになる。なお、「合計」キー２０１が入力なしの状態では、制御部１７は、表示期間内に実行される一の分類処理に関する損券内容を表示させることになる。
【０２１３】
また、上記した処理中断状態において、「ＵＶ」キー１９１が入力有りとなると、制御部１７は、機能表示部２０８に、以下に示すような偽券の内容を表示させる（図１８参照）。これは設定１〜設定２３のいずれのモードの分類処理を実行する場合においても同様である。
【０２１４】
制御部１７は、偽券という意味を表す文字「ＲＪ」と、偽券の枚数の数値（例えば「３」）とを機能表示部２０８に隣り合わせて表示させる。また制御部１７は、紫外線によって紙幣に生じる可視光の検出結果に基づいて偽券とされた紙幣という意味を表す文字「ＵＶ」と、この偽券の枚数の数値（例えば「２」）とを機能表示部２０８に隣り合わせて表示させる。さらに制御部１７は、磁気データに基づいて偽券とされた紙幣という意味を表す文字「ＭＧ」と、この偽券の枚数の数値（例えば「１」）とを機能表示部２０８に隣り合わせて表示させる。なお、「合計」キー２０１が入力なしの状態では、制御部１７は、表示期間内に実行される一の分類処理に関する偽券内容を表示させることになる。
【０２１５】
以上に述べた紙幣整理機によれば、装填部１１に装填された紙幣が該装填部１１から繰り出されると、これを搬送部１２が搬送する。この搬送中に紙幣は鑑別部１３で鑑別される。制御部１７は、紙幣を、鑑別部１３の鑑別結果に基づき、操作部１５で選択された分類処理モードに応じた複数の集積部６９〜７１のうちの一つに搬送部１２で搬送させる。
このようにして、集積部６９〜７１に紙幣が集積されることになる。複数の集積部６９〜７１には、制御部１７で開閉が制御されるシャッタ１１８がそれぞれ設けられている。そして、シャッタ１１８は、開状態においては、集積させた紙幣の取り出しを可能とする一方、閉状態においては、集積させた紙幣の取り出しを一切不可とする。これにより、集積部６９〜７１に集積される紙幣のオペレータによる不用意な取り出しが防止可能となる。
【０２１６】
また、集積部６９〜７１からの紙幣の取り出しを許容する状態と集積部６９〜７１からの紙幣の取り出しを禁止する状態とが存在する上に、制御部１７が、集積部６９〜７１の紙幣の取り出しが許容された状態においてのみシャッタ１１８を開状態とする。このため、集積部６９〜７１に集積される紙幣のオペレータによる不用意な取り出しを確実に防止することができる。
【０２１７】
さらに、シャッタ１１８が、閉状態においては開不可に固定されるように構成されている。このため、閉状態においては手動によってもシャッタ１１８が開かない。よって、集積部６９〜７１に集積される紙幣のオペレータによる不用意な取り出しをさらに確実に防止することができる。
【０２１８】
加えて、複数の集積部６９〜７１に、集積させた紙幣の姿勢を変更可能な押出部材１５４をそれぞれ設け、制御部１７が、シャッタ１１８の開作動時に、集積させた紙幣の姿勢を押出部材１５４で変更させる。このため、集積させた紙幣を取り出し難い姿勢から取り出し易い姿勢に変更することが可能となる。したがって、オペレータが集積部６９〜７１から紙幣を取り出す際の作業性を向上できる。
【０２１９】
さらに、押出部材１５４が、シャッタ１１８の開作動に連動して紙幣の姿勢を変更する。このため、シャッタ１１８を開作動させる駆動源と押出部材１５４による紙幣の姿勢変更を行う駆動源とが共用化される。この場合、駆動源はシャッタ駆動モータ１３１である。したがって、コストダウンが図れる。
【０２２０】
加えて、集積部６９〜７１には、集積部６９〜７１に搬送部１２から繰り出された紙幣の重量で移動するガイド機構部１４４が設けられている。そして、ガイド機構部１４４が、紙幣が少ない状態では集積部６９〜７１の集積空間部１０９を減らし、紙幣が増えてくると集積部６９〜７１の内部の集積空間部１０９を増やすように移動するので、初期に集積部６９〜７１に搬送部１２から繰り出された紙幣が集積部６９〜７１において動ける範囲が大きくなってしまうことを防止することができる。その結果、初期に集積部６９〜７１に搬送部１２から繰り出された紙幣は姿勢が安定することになる。このため、初期に集積部６９〜７１に搬送部１２から繰り出された紙幣は、集積部６９〜７１内で、次に搬送部１２から集積部６９〜７１に繰り出される紙幣と衝突することがなくなり、該紙幣の集積状態を乱すことがなくなる。したがって、集積部６９〜７１の集積容量を増大化させた場合であっても、集積部６９〜７１に搬送部１２から繰り出される紙幣を確実に集積させることが可能となる。
【０２２１】
加えて、ガイド機構部１４４は、集積部６９〜７１に搬送部１２から繰り出された紙幣の重量で移動する。このように、ガイド機構部１４４が紙幣の重量で移動するため、集積紙幣の厚みでガイド機構部１４４を移動させる必要がなくなる。したがって、搬送部１２から自由な状態で紙幣を集積部６９〜７１に繰り出させることができる。
【０２２２】
また、ガイド機構部１４４は、ガイド板１４５がバネ材１４８の付勢力で、集積紙幣Ｓの重量が小さい状態では集積部６９〜７１の内部の集積空間部１０９の容積を減らし、紙幣が増えてくると集積部６９〜７１の集積空間部１０９の容積を増やすように移動する。このため、初期に集積部６９〜７１に搬送部１２から繰り出された紙幣が集積部６９〜７１において動ける範囲が大きくなってしまうことを防止することが簡素な構成で実現できる。このように、ガイド機構部１４４を簡素な構成とすることができる。
【０２２３】
さらに、ガイド機構部１４４は、集積部６９〜７１に回転自在に支持される。そして、ガイド機構部１４４が、集積部６９〜７１に対し、紙幣が少ない状態では集積部６９〜７１の集積空間部１０９の容積を減らし、紙幣が増えてくると集積部６９〜７１の集積空間部１０９の容積を増やすように回転する。その結果、初期に集積部６９〜７１に搬送部１２から繰り出された紙幣が集積部６９〜７１において動ける範囲が大きくなってしまうことを防止することがさらに簡素な構成で実現できる。
【０２２４】
加えて、ガイド機構部１４４は、集積部６９〜７１の紙幣の取出口１１０側に回転自在に支持されている。これにより、集積部６９〜７１の取出口１１０の開口面積がガイド機構部１４４で狭められてしまうことがない。したがって、オペレータが集積部６９〜７１から取出口１１０を介して紙幣を取り出す際に、容易に紙幣を取り出すことができる。
【０２２５】
さらに、ガイド機構部１４４を、集積部６９〜７１に搬送部１２から繰り出された紙幣の重量で変形する、弾性変形可能な樹脂材料で構成する。そして、弾性変形可能な樹脂材料からなるガイド機構部１４４が、紙幣が少ない状態では集積部６９〜７１の集積空間部１０９の容積を減らし、紙幣が増えてくると集積部６９〜７１の集積空間部１０９の容積を増やすように変形する。その結果、初期に集積部６９〜７１に搬送部１２から繰り出された紙幣が集積部６９〜７１において動ける範囲が大きくなってしまうことを防止することがさらに簡素な構成で実現できる。
【０２２６】
加えて、操作部１１に複数の分類処理モードの中から一つの分類処理モードを選択する操作がなされると、各個別表示部２１０〜２１２がそれぞれ、操作部１１で選択された分類処理モードに応じて、対応する集積部６９〜７１の分類内容を表示させることになる。
このため、各個別表示部２１０〜２１２に、集積部６９〜７１のどれにどのような分類で分けられた紙幣が集積されるのかを表示させることになる。したがって、多様な分類処理を行う場合にも、集積部６９〜７１にどのような分類で分けられた紙幣がそれぞれ集積されるのかを容易にオペレータに確認させることができる。
【０２２７】
さらに、各個別表示部２１０〜２１２が、それぞれ対応する集積部６９〜７１に集積された紙幣の枚数および金額の少なくともいずれか一方を表示させることにより、集積部６９〜７１毎の紙幣の集積量をオペレータに認識させることができる。
【０２２８】
加えて、すべての集積部６９〜７１に共通の全体表示部２０９をさらに設けている。これにより、全体表示部２０９がすべての集積部６９〜７１に共通の情報である、すべての集積部６９〜７１に集積された紙幣の枚数あるいは金額を表示させることができる。したがって、すべての集積部６９〜７１に共通の情報をオペレータに認識させることができる。
【０２２９】
加えて、全体表示部２０９が、集積部６９〜７１に集積された紙幣の枚数および金額のいずれか一方を選択的に表示させると、制御部１７が、これとともに枚数および金額のいずれが選択されているかを「枚数」ランプ２１９または「金額」ランプ２２０の点灯で表示させることになる。したがって、枚数および金額のいずれが表示されているかをオペレータに認識させることができる。
なお、本実施の形態における、操作部の各キーの表示内容については、上記に限定されるものではない。例えば、日本国内で使用される場合、「１００」キー１９３の表示は「万」、「５０」キー１９３の表示は「５千」、「１０」キー１９４の表示は「千」であっても良い。また、第１個別表示部２１０、第２個別表示部２１１、第３個別表示部２１２、全体表示部２０９、機能表示部２０８に表示される、金種を表す「１００」、「５０」、「１０」についても、上記と同様に「万」、「５千」、「千」とした表示であっても良い。
また、第１個別表示部２１０、第２個別表示部２１１、第３個別表示部２１２、全体表示部２０９のデジタル表示部２２７，２２１の表示についても、例えば、日本国内において「１万」の金額を表す場合「１０，０００」のように表示するようにしても良い。
さらに、日本国外において使用される場合、各表示部の表示内容は、その国に応じた言語、金種の内容を表示するようにすれば良い。
【０２３０】
【発明の効果】
以上詳述したように、本発明の紙幣整理機によれば、集積手段には、該集積手段に搬送手段から繰り出された紙幣の重量で移動するガイド手段が設けられている。このため、該ガイド手段が、紙幣が少ない状態では集積手段の内部の集積空間部の容積を減らし、紙幣が増えてくると集積手段の集積空間部の容積を増やすように移動すれば、初期に集積手段に搬送手段から繰り出された紙幣が集積手段において動ける範囲が大きくなってしまうことを防止することができる。その結果、初期に集積手段に搬送手段から繰り出された紙幣も姿勢が安定することになる。このため、初期に集積手段に搬送手段から繰り出された紙幣は、集積手段内で、後から集積手段に搬送手段から繰り出される紙幣と衝突することがなくなり、該紙幣の集積状態を乱すことがなくなる。
したがって、集積手段の集積容量を増大化させた場合であっても、集積手段に搬送手段から繰り出される紙幣を確実に集積させることが可能となる。
しかも、ガイド手段が紙幣の重量で移動するため、集積紙幣の厚みでガイド手段を移動させる必要がなくなる。したがって、搬送手段から自由な状態で紙幣を集積手段に繰り出させることができる。
さらに、ガイド手段を、集積手段に回転自在に支持される構成とする。
これにより、ガイド手段が、集積手段に対し、紙幣が少ない状態では集積手段の内部の集積空間部の容積を減らし、紙幣が増えてくると集積手段の集積空間部の容積を増やすように回転すれば、初期に集積手段に搬送手段から繰り出された紙幣が集積手段において動ける範囲が大きくなってしまうことを防止することがさらに簡素な構成で実現できる。このように、ガイド手段をさらに簡素な構成とすることができる。
加えて、ガイド手段を、集積手段の紙幣の取出口側に回転自在に支持する構成とする。
このように、ガイド手段を、集積手段の紙幣の取出口側に回転自在に支持することで、集積手段の取出口の開口面積がガイド手段で狭められてしまうことを防止できる。したがって、オペレータが集積手段から取出口を介して紙幣を取り出す際に、容易に紙幣を取り出すことができる。
【０２３１】
また、ガイド手段を、移動可能に設けられたガイド板と、該ガイド板を付勢するバネ材とを具備する構成とする。
これにより、ガイド板がバネ材の付勢力で、紙幣が少ない状態では集積手段の内部の集積空間部の容積を減らし、紙幣が増えてくると集積手段の集積空間部の容積を増やすように移動すれば、初期に集積手段に搬送手段から繰り出された紙幣が集積手段において動ける範囲が大きくなってしまうことを防止することが簡素な構成で実現できる。このように、ガイド手段を簡素な構成とすることができる。
【０２３４】
さらに、ガイド手段を、集積手段に搬送手段から繰り出された紙幣の重量で変形する、弾性変形可能な樹脂材料からなる構成とする。
これにより、弾性変形可能な樹脂材料からなるガイド板が、紙幣が少ない状態では集積手段の内部の集積空間部の容積を減らし、紙幣が増えてくると集積手段の集積空間部の容積を増やすように変形すれば、初期に集積手段に搬送手段から繰り出された紙幣が集積手段において動ける範囲が大きくなってしまうことを防止することがさらに簡素な構成で実現できる。このように、ガイド手段をさらに簡素な構成とすることができる。
【図面の簡単な説明】
【図１】  本発明の紙幣整理機の一の実施の形態を示す斜視図である。
【図２】  本発明の紙幣整理機の一の実施の形態を示すブロック図である。
【図３】  本発明の紙幣整理機の一の実施の形態を示す断面図である。
【図４】  本発明の紙幣整理機の一の実施の形態の集積部を示す側断面図であってシャッタが閉じた状態を示すもの。
【図５】  本発明の紙幣整理機の一の実施の形態の集積部を示す平面図である。
【図６】  本発明の紙幣整理機の一の実施の形態の集積部を示す正断面図である。
【図７】  本発明の紙幣整理機の一の実施の形態の集積部を示す側断面図であってガイド機構部の一例を詳細に示すもの。
【図８】  本発明の紙幣整理機の一の実施の形態の集積部を示す側断面図であってシャッタが開いた状態を示すもの。
【図９】  本発明の紙幣整理機の一の実施の形態の集積部を示す側断面図であってガイド機構部の他の例を詳細に示すもの。
【図１０】  本発明の紙幣整理機の一の実施の形態の機能表示部、第１操作部および第２操作部を示す平面図である。
【図１１】  本発明の紙幣整理機の一の実施の形態の各キーの機能を一覧にした図表である。
【図１２】  本発明の紙幣整理機の一の実施の形態の機能設定時の画面の移り変りを示す図である。
【図１３】  本発明の紙幣整理機の一の実施の形態の分類設定を一覧にした図表である。
【図１４】  本発明の紙幣整理機の一の実施の形態の個別表示部を示す正面図である。
【図１５】  本発明の紙幣整理機の一の実施の形態の全体表示部を示す正面図である。
【図１６】  本発明の紙幣整理機の一の実施の形態の表示部の表示例を示す図であって、（ａ）は集積枚数で表示させたパターン、（ｂ）は金額で表示させたパターン、（ｃ）は集積枚数で表示させたパターン、（ｄ）はバッチ枚数に対する残り枚数で表示させたパターンである。
【図１７】  本発明の紙幣整理機の一の実施の形態の機能表示部における損券内容の表示パターンを示す図である。
【図１８】  本発明の紙幣整理機の一の実施の形態の機能表示部における偽券の内容の表示パターンを示す図である。
【符号の説明】
１１  装填部（装填手段）
１２  搬送部（搬送手段）
１３  鑑別部（鑑別手段）
１５  操作部（操作手段）
１７  制御部（制御手段）
６９〜７１  集積部（集積手段）
１１０  取出口
１４４  ガイド機構部（ガイド手段）
１４５，１４５  ガイド板
１４８  バネ材
【図１】
0003741893.tif 000002
【図２】
0003741893.tif 000003
【図３】
0003741893.tif 000004
【図４】
0003741893.tif 000005
【図５】
0003741893.tif 000006
【図６】
0003741893.tif 000007
【図７】
0003741893.tif 000008
【図８】
0003741893.tif 000009
【図９】
0003741893.tif 000010
【図１０】
0003741893.tif 000011
【図１１】
0003741893.tif 000012
【図１２】
0003741893.tif 000013
【図１３】
0003741893.tif 000014
【図１４】
0003741893.tif 000015
【図１５】
0003741893.tif 000016
【図１６】
0003741893.tif 000017
【図１７】
0003741893.tif 000018
【図１８】
0003741893.tif 000019